(57)【特許請求の範囲】
【請求項１】
空気発泡された水溶性液体クリーニング剤を航空機に設けられたガス・タービン・エンジンに提供するためのシステムであって、該ガス・タービン・エンジンは入口および圧縮機を有し、前記システムは、
周囲圧力よりも大きい圧力で空気を提供する空気ポンプと、
圧力により前記水溶性液体クリーナを提供する液体ポンプと、
前記空気ポンプから空気を受け取る空気入口と、前記液体ポンプから液体を受け取る液体入口と、泡出口とを有する核生成デバイスであって、前記加圧された空気と前記液体とを乱流式に混合して泡を形成する核生成デバイスと、
泡導管を通して前記泡を受け取るノズルであって、前記ノズルは、非噴霧式であって、泡の低速流を前記ガス・タービン・エンジンの前記入口または前記圧縮機へ送出するように適合され構成されるノズルと
を備え、
前記核生成デバイスが空気加圧されたプレナムを備え、該プレナムは、複数の空気流開口を有し、前記液体の流れが供給されるチャンバ内に配置され、前記開口は、空気を前記液体流に放出して前記泡を形成するようになっている、システム。
【請求項２】
前記核生成デバイスによって受け取られる前記空気が、約１０ｐｓｉｇ超え且つ約１２０ｐｓｉｇ未満の圧力を有し、前記核生成デバイスによって受け取られる前記液体が、約１０ｐｓｉｇ超え且つ約１２０ｐｓｉｇ未満の圧力を有するようになっている、請求項１に記載のシステム。
【請求項３】
前記泡の低速流が、約９１．４４ｃｍ（約３フィート）毎秒超え且つ約４５７．２ｃｍ（約１５フィート）毎秒未満の速度を有する、請求項１に記載のシステム。
【請求項４】
前記ノズルは、前記泡の流れを前記ガス・タービン・エンジンの抽気ダクト、又は前記ガス・タービン・エンジンに装着されたチューブのマニホールドのうちの１つに提供するように適合され構成されている、請求項１に記載のシステム。
【請求項５】
前記泡の低速流が、略一定の直径を有する、請求項１に記載のシステム。
【請求項６】
前記ノズルが第１の流れ面積を有し、前記導管が第２の流れ面積を有し、前記第１の流れ面積は、前記第２の流れ面積とほぼ同じである、請求項１に記載のシステム。
【請求項７】
前記泡出口が第１の流れ面積を有し、前記導管が第２の流れ面積を有し、前記第１の流れ面積が、前記第２の流れ面積とほぼ同じである、請求項１に記載のシステム。
【請求項８】
前記ノズルが、合計流れ面積を有する１つ又は複数のノズルであり、前記泡出口が出口面積を有し、前記出口面積は、前記合計流れ面積とほぼ同じである、請求項１に記載のシステム。
【請求項９】
空気発泡された水溶性液体クリーニング剤を航空機に設けられたガス・タービン・エンジンに提供するためのシステムであって、該ガス・タービン・エンジンは入口および圧縮機を有し、前記システムは、
周囲圧力よりも大きい圧力で空気を提供する空気ポンプと、
圧力により前記水溶性液体クリーナを提供する液体ポンプと、
前記空気ポンプから空気を受け取る空気入口と、前記液体ポンプから液体を受け取る液体入口と、泡出口とを有する核生成デバイスであって、前記加圧された空気と前記液体とを乱流式に混合して泡を形成する核生成デバイスと、
泡導管を通して前記泡を受け取るノズルであって、前記ノズルは、非噴霧式であって、泡の低速流を前記ガス・タービン・エンジンの前記入口または前記圧縮機へ送出するように適合され構成されるノズルと
を備え、
前記核生成デバイスが、加圧された空気を加圧された液体と混合チャンバ内で混合するようになっており、
前記核生成デバイスが、前記混合チャンバの下流側に、前記ノズルにより受け取られた泡のセルサイズを成長させるセル成長チャンバを備える、システム。
【請求項１０】
前記核生成デバイスによって受け取られる前記空気が、約１０ｐｓｉｇ超え且つ約１２０ｐｓｉｇ未満の圧力を有し、前記核生成デバイスによって受け取られる前記液体が、約１０ｐｓｉｇ超え且つ約１２０ｐｓｉｇ未満の圧力を有するようになっている、請求項９に記載のシステム。
【請求項１１】
前記泡の低速流が、約９１．４４ｃｍ（約３フィート）毎秒超え且つ約４５７．２ｃｍ（約１５フィート）毎秒未満の速度を有する、請求項９に記載のシステム。
【請求項１２】
前記ノズルは、前記泡の流れを前記ガス・タービン・エンジンの抽気ダクト、又は前記ガス・タービン・エンジンに装着されたチューブのマニホールドのうちの１つに提供するように適合され構成されている、請求項９に記載のシステム。
【請求項１３】
前記泡の低速流が、略一定の直径を有する、請求項９に記載のシステム。
【請求項１４】
前記ノズルが第１の流れ面積を有し、前記導管が第２の流れ面積を有し、前記第１の流れ面積は、前記第２の流れ面積とほぼ同じである、請求項９に記載のシステム。
【請求項１５】
前記泡出口が第１の流れ面積を有し、前記導管が第２の流れ面積を有し、前記第１の流れ面積が、前記第２の流れ面積とほぼ同じである、請求項９に記載のシステム。
【請求項１６】
前記ノズルが、合計流れ面積を有する１つ又は複数のノズルであり、前記泡出口が出口面積を有し、前記出口面積は、前記合計流れ面積とほぼ同じである、請求項９に記載のシステム。
【請求項１７】
空気発泡された水溶性液体クリーニング剤を航空機に設けられたガス・タービン・エンジンに提供するためのシステムであって、該ガス・タービン・エンジンは入口および圧縮機を有し、前記システムは、
周囲圧力よりも大きい圧力で空気を提供する空気ポンプと、
圧力により前記水溶性液体クリーナを提供する液体ポンプと、
前記空気ポンプから空気を受け取る空気入口と、前記液体ポンプから液体を受け取る液体入口と、泡出口とを有する核生成デバイスであって、前記加圧された空気と前記液体とを乱流式に混合して泡を形成する核生成デバイスと、
泡導管を通して前記泡を受け取るノズルであって、前記ノズルは、非噴霧式であって、泡の低速流を前記ガス・タービン・エンジンの前記入口または前記圧縮機へ送出するように適合され構成されるノズルと
を備え、
前記核生成デバイスが、加圧された空気を加圧された液体と混合チャンバ内で混合するようになっており、
前記核生成デバイスが、前記混合チャンバの下流側に、前記ノズルにより受け取られた混合された泡の乱流を低減させる乱流低減チャンバを備える、システム。
【請求項１８】
前記核生成デバイスによって受け取られる前記空気が、約１０ｐｓｉｇ超え且つ約１２０ｐｓｉｇ未満の圧力を有し、前記核生成デバイスによって受け取られる前記液体が、約１０ｐｓｉｇ超え且つ約１２０ｐｓｉｇ未満の圧力を有するようになっている、請求項１７に記載のシステム。
【請求項１９】
前記泡の低速流が、約９１．４４ｃｍ（約３フィート）毎秒超え且つ約４５７．２ｃｍ（約１５フィート）毎秒未満の速度を有する、請求項１７に記載のシステム。
【請求項２０】
前記ノズルは、前記泡の流れを前記ガス・タービン・エンジンの抽気ダクト、又は前記ガス・タービン・エンジンに装着されたチューブのマニホールドのうちの１つに提供するように適合され構成されている、請求項１７に記載のシステム。
【請求項２１】
前記泡の低速流が、略一定の直径を有する、請求項１７に記載のシステム。
【請求項２２】
前記ノズルが第１の流れ面積を有し、前記導管が第２の流れ面積を有し、前記第１の流れ面積は、前記第２の流れ面積とほぼ同じである、請求項１７に記載のシステム。
【請求項２３】
前記泡出口が第１の流れ面積を有し、前記導管が第２の流れ面積を有し、前記第１の流れ面積が、前記第２の流れ面積とほぼ同じである、請求項１７に記載のシステム。
【請求項２４】
前記ノズルが、合計流れ面積を有する１つ又は複数のノズルであり、前記泡出口が出口面積を有し、前記出口面積は、前記合計流れ面積とほぼ同じである、請求項１７に記載のシステム。
【請求項２５】
空気発泡された水溶性液体クリーニング剤を航空機に設けられたガス・タービン・エンジンに提供するためのシステムであって、該ガス・タービン・エンジンは入口および圧縮機を有し、前記システムは、
周囲圧力よりも大きい圧力で空気を提供する空気ポンプと、
圧力により前記水溶性液体クリーナを提供する液体ポンプと、
前記空気ポンプから空気を受け取る空気入口と、前記液体ポンプから液体を受け取る液体入口と、泡出口とを有する核生成デバイスであって、前記加圧された空気と前記液体とを乱流式に混合して泡を形成する核生成デバイスと、
泡導管を通して前記泡を受け取るノズルであって、前記ノズルは、非噴霧式であって、泡の低速流を前記ガス・タービン・エンジンの前記入口または前記圧縮機へ送出するように適合され構成されるノズルと
を備え、
前記核生成デバイスが、液体を第１の方向に流し、第１の方向とは少なくとも部分的に反対の速度成分を有する第２の方向にガスを注入するようになっている、システム。
【請求項２６】
前記核生成デバイスによって受け取られる前記空気が、約１０ｐｓｉｇ超え且つ約１２０ｐｓｉｇ未満の圧力を有し、前記核生成デバイスによって受け取られる前記液体が、約１０ｐｓｉｇ超え且つ約１２０ｐｓｉｇ未満の圧力を有するようになっている、請求項２５に記載のシステム。
【請求項２７】
前記泡の低速流が、約９１．４４ｃｍ（約３フィート）毎秒超え且つ約４５７．２ｃｍ（約１５フィート）毎秒未満の速度を有する、請求項２５に記載のシステム。
【請求項２８】
前記ノズルは、前記泡の流れを前記ガス・タービン・エンジンの抽気ダクト、又は前記ガス・タービン・エンジンに装着されたチューブのマニホールドのうちの１つに提供するように適合され構成されている、請求項２５に記載のシステム。
【請求項２９】
前記泡の低速流が、略一定の直径を有する、請求項２５に記載のシステム。
【請求項３０】
前記ノズルが第１の流れ面積を有し、前記導管が第２の流れ面積を有し、前記第１の流れ面積は、前記第２の流れ面積とほぼ同じである、請求項２５に記載のシステム。
【請求項３１】
前記泡出口が第１の流れ面積を有し、前記導管が第２の流れ面積を有し、前記第１の流れ面積が、前記第２の流れ面積とほぼ同じである、請求項２５に記載のシステム。
【請求項３２】
前記ノズルが、合計流れ面積を有する１つ又は複数のノズルであり、前記泡出口が出口面積を有し、前記出口面積は、前記合計流れ面積とほぼ同じである、請求項２５に記載のシステム。
【請求項３３】
空気発泡された水溶性液体クリーニング剤を航空機に設けられたガス・タービン・エンジンに提供するためのシステムであって、該ガス・タービン・エンジンは入口および圧縮機を有し、前記システムは、
周囲圧力よりも大きい圧力で空気を提供する空気ポンプと、
圧力により前記水溶性液体クリーナを提供する液体ポンプと、
前記空気ポンプから空気を受け取る空気入口と、前記液体ポンプから液体を受け取る液体入口と、泡出口とを有する核生成デバイスであって、前記加圧された空気と前記液体とを乱流式に混合して泡を形成する核生成デバイスと、
泡導管を通して前記泡を受け取るノズルであって、前記ノズルは、非噴霧式であって、泡の低速流を前記ガス・タービン・エンジンの前記入口または前記圧縮機へ送出するように適合され構成されるノズルと
を備え、
前記核生成デバイスが空気加圧されたプレナムを備え、該プレナムは、複数の空気流開口を有し、前記液体の流れが供給されるチャンバ内に配置され、前記開口は、加圧された空気を前記液体流に放出して前記泡を形成するようになっている、システム。
【請求項３４】
前記核生成デバイスによって受け取られる前記空気が、約１０ｐｓｉｇ超え且つ約１２０ｐｓｉｇ未満の圧力を有し、前記核生成デバイスによって受け取られる前記液体が、約１０ｐｓｉｇ超え且つ約１２０ｐｓｉｇ未満の圧力を有するようになっている、請求項３３に記載のシステム。
【請求項３５】
前記泡の低速流が、約９１．４４ｃｍ（約３フィート）毎秒超え且つ約４５７．２ｃｍ（約１５フィート）毎秒未満の速度を有する、請求項３３に記載のシステム。
【請求項３６】
前記ノズルは、前記泡の流れを前記ガス・タービン・エンジンの抽気ダクト、又は前記ガス・タービン・エンジンに装着されたチューブのマニホールドのうちの１つに提供するように適合され構成されている、請求項３３に記載のシステム。
【請求項３７】
前記泡の低速流が、略一定の直径を有する、請求項３３に記載のシステム。
【請求項３８】
前記ノズルが第１の流れ面積を有し、前記導管が第２の流れ面積を有し、前記第１の流れ面積は、前記第２の流れ面積とほぼ同じである、請求項３３に記載のシステム。
【請求項３９】
前記泡出口が第１の流れ面積を有し、前記導管が第２の流れ面積を有し、前記第１の流れ面積が、前記第２の流れ面積とほぼ同じである、請求項３３に記載のシステム。
【請求項４０】
前記ノズルが、合計流れ面積を有する１つ又は複数のノズルであり、前記泡出口が出口面積を有し、前記出口面積は、前記合計流れ面積とほぼ同じである、請求項３３に記載のシステム。
【発明の詳細な説明】
【技術分野】
【０００１】
本発明のさまざまな具体例は、燃焼チャンバを含むガス経路を含むデバイスをクリーニングするための装置及び方法に関するものであり、詳細には、ガス・タービン・エンジンをクリーニングするための装置及び方法に係るものである。
【背景技術】
【０００２】
タービン・エンジンは、エネルギーを抽出して広範囲の段階を通って経て動力を供給する。エネルギーは、蒸気から燃料燃焼までにわたることができる。引き出された動力は、次いで、電気、推進力、又は一般的な動力に利用される。タービンは、流体及びガスの流れを使用可能なエネルギーに変換することによって、ヘリコプタ、航空機、タンク、動力装置、船舶、特殊車両、都市などに動力を供給するように作用する。使用時、そのデバイスのガス経路は、破片及び鉱物、砂、埃、煤煙、炭素などの汚染物質により汚染されていく。汚染されると、装置の性能は劣化し、保全作業及びクリーニングが必要になる。
【０００３】
タービンは、ジェット・エンジン、工業タービン又は地上及び船舶上の航空転用式ユニットなどの数多くの形態が周知である。航空機又はヘリコプタのエンジンなどの装置の内部表面は、汚染材料が蓄積し、それによってエンジンの空気流を阻害させ、性能を悪化させる。このために、燃料消費が増大し、エンジン寿命が短縮し、利用可能な動力が減少する。
【０００４】
エンジンを正常に維持し、性能を回復させるための最も簡単な手段及び最もコスト効果の高い手段は、エンジンを適切にクリーニングすることである。ミスト、スプレ、及び蒸気システムなどの数多くの方法が利用できる。しかし、このすべては、エンジンガス経路全体を通って又は深く到達することはできない。
【０００５】
エンジンの遠隔測定又は診断ツールが、エンジンの健全性を監視するための日常的機能になっている。しかし、そのようなツールを用いて泡エンジン・クリーニングによる改善を監視し、誘引し又は定量化することは、これまで利用されていなかった。
【発明の概要】
【発明が解決しようとする課題】
【０００６】
本発明のさまざまな具体例は、そのような動力装置のクリーニングのための新規且つ非自明の方法及び装置を提供するものである。
【課題を解決するための手段】
【０００７】
泡材料が、オフライン中、タービン装置のガス経路入口に導入される。泡は、内部表面をコーティング及び内部表面に接触して、汚染材料を擦り取り、除去し、装置から運び去る。
【０００８】
本発明の１つの態様は、クリーニング剤を発泡させるための装置に関する。一部の具体例は、第１の流れ部分、第２の流れ部分、及び第３の流れ部分を有する内部流路と、ガス入口と、クリーニング剤のための液体入口と、泡出口を画定するハウジングを含む。第１の流れ部分は、ガス入口から圧力下のガスを受け取り、複数の開口を含むように適合され構成されたガス・プレナムを含み、ガス・プレナムとハウジングの内部とが、液体及びガスの第１の泡を提供する混合領域を形成する。第２の流れ部分は、第１の泡を受け取り、セルの付着及び融合のための表面領域を有するように適合され構成された泡成長マトリクスを通過するように第１の泡を流す。第３の流れ部分は、セルの少なくとも一部のサイズを低減させるように適合され構成された、第１の部分又は第２の部分の下流側の泡構造化部材を通るように第２の泡を流す。本発明のさらに他の具体例は、さまざまな他の核生成デバイスにおいて、第１の部分のみ、又は第１及び第２の部分、又は第１及び第３の部分のみを有するハウジングを企図されることが理解される。
【０００９】
本発明の別の態様は、液体クリーニング剤を発泡させる方法に関する。一部の具体例は、第１の泡を形成するために液体クリーニング剤及び加圧されたガスを混合することを含む。他の具体例は、第２の泡を形成するために第１の泡を部材又はマトリクスに流し、第１の泡のセルのサイズを増大させることを含む。さらに他の具体例は、第３の泡を形成するためにメッシュ又は１つ又は複数の開口付きプレートなどの構造を通るように第２の泡を流し、第２の泡のセルのサイズを低減させることを含む。
【００１０】
本発明のさらに別の態様は、空気発泡された液体クリーニング剤を提供するためのシステムに関する。他の具体例は、周囲圧力よりも大きい圧力で、空気又はガスを提供する空気ポンプ又は加圧されたガス・リザーバ、および圧力をかけて液体を提供する液体ポンプを備える。さらに他の具体例は、加圧された空気を受け入れる核生成デバイスと、加圧された液体を受け取る液体入口と、泡出口とを含み、核生成デバイスは、加圧された空気及び液体を乱流式に混合して泡を形成する。さらに他の具体例は、泡導管を通して泡を受け取るノズルを含み、ノズル及び導管の内部通路は、泡の乱流を増大させないように適合され構成され、ノズルは、泡の低速流を送出するように適合され構成される。
【００１１】
さらに別の態様は、空気発泡された液体クリーニング剤を航空機に設置されたジェット・エンジンの入口に供給する方法に関する。一部の具体例は、加圧された液体クリーニング剤源と、空気ポンプと、乱流混合チャンバと、非噴霧式供給開口とを提供することを含む。他の具体例は、加圧された空気を加圧された液体と混合チャンバ内で混合し、泡の供給体を形成することを含む。さらに他の具体例は、泡の供給体を、入口を通して、又は開口からエンジンに取り付けられたさまざまな管を通して、設置されたエンジン内に流入させることを含む。
【００１２】
本発明のさらに別の態様は、水溶性液体クリーニング剤を発泡させるための装置に関する。一部の具体例は、加圧されたガスを流れる水溶性液体と混合して泡を形成するための手段を含む。他の具体例は、泡のセルのサイズを成長させるための手段と、成長したセルのサイズを低減させるための手段とを含む。
【００１３】
本発明のさまざまな具体例では、クリーニング作動後の流出物が、収集され評価される。この評価は、特定の金属又は化合物が流出物内に存在するか否かを含む、流出物の内容物のオンサイト分析を含むことができる。この評価の結果に基づき、さらなるクリーニングが適切であるか否かに関して決定がなされる。
【００１４】
本発明のさらに別の具体例は、クリーニング作業の効果を評価する方法に関し、この評価は、契約の条件を評価するために使用される。一例として、契約は、エンジン製造者によって航空機のオペレータ又は所有者に提供されたエンジン品質保証の条件に関することができる。さらに別の具体例では、評価は、エンジン・クリーニングの作動自体に関する契約条件を評価するために使用できる。さらに別の具体例では、エンジンに対するクリーニング効果の評価は、このエンジンのＦＦＡ保全基準を確立することに対してエンジンを評価するために使用できる。
【００１５】
１つの具体例では、評価方法は、約２カ月以上の間、民間飛行環境においてエンジンを作動させることを含む。一部の具体例では、この作動は、１日あたり複数回の飛行、及び１カ月あたり最大７日間の航空機の使用を含み得ることが予想される。方法は、さらに、使用されたエンジンを作動させ、ベースライン特性を確立することを含む。一部の具体例では、ベースライン特性は、特定の推進力レベル、エンジン圧力比、又はロータ速度における燃料消費率である。一部の代替策では、方法は、このベースライン・データを環境大気特性に合わせて修正することを含む。さらに他の具体例では、ベースライン・パラメータは、０ｒｐｍからアイドリング速度までのエンジンの起動の間の経過時間である。さらに別の具体例では、使用されたエンジンのベースライン評価は、次の方法、すなわちエンジンの最初の起動を実行し、エンジンを中断し、所定の時間期間の間（燃料の燃焼無しで）スタータ上でエンジンを自走させ、自走させた後、第２のエンジン起動を実行し、第２のエンジン起動時間をベースライン起動時間として使用する方法における、エンジン起動時間の評価を含む。
【００１６】
この方法は、さらに、エンジンをクリーニングすることを含む。エンジンのこのクリーニングは、１つ又は複数の連続クリーニング・サイクルを含むことができる。エンジンがクリーニングされた後、ベースライン試験法が繰り返される。（クリーニングされたエンジンの）この第２の試験結果は、（受け取られたときの、使用されたエンジンの）ベースライン試験結果と比較され、エンジン特性における変化が、契約保証に対して評価される。１つの例として、クリーニング装置のオペレータは、クリーニング方法によってなされる改善に関して、航空機の所有者又はオペレータに契約条件を提示していることがある。さらに、別の具体例では、クリーニング方法によって提供されたデルタ改善（又は代替的には、それ自体で考慮されるクリーニングされたエンジンの試験結果）が、エンジンの製造者（又はエンジンの以前のオーバーホールを実行した設備又はエンジンのライセンス契約者）との間の契約保証と比較されてクリーニングされたエンジンがこれらの契約条件を満たすか否かを評価できる。
【００１７】
さらに別の具体例では、ベースライン試験が使用されるエンジン上で実行されるクリーニング方法が存在し、エンジンはクリーニングされ、ベースライン試験が、２回実行される。ベースライン試験と清浄なエンジン試験の比較は、理由の如何に問わず使用できる。
【００１８】
さらに、他の具体例では、クリーニング方法は、エンジンがクリーニング・サイクル内で作動される手順を含み、このクリーニング・サイクル（又は異なるクリーニング・サイクル）は、その後、エンジンに適用される。好ましくは、クリーニング薬剤は、比較的低い回転速度、好ましくはそのエンジンの通常のアイドリング速度の約半分未満でエンジンに提供される。
【００１９】
さらに別の具体例では、略鉛直に支持されたこれらのエンジンなどでは、クリーニング薬剤が、エンジンが静止している（すなわち０ｒｐｍの）ときにエンジンに適用できる。十分な量の薬剤を適用した後、エンジンは、次いで、任意の速度で回転させることができ、その後クリーニング薬剤を洗い流すことができる。
【００２０】
本発明のさらに他の具体例は、クリーニング薬剤の温度の操作及び／又はクリーニングされているエンジンの温度の操作を含む、エンジンをクリーニングするための方法に関する。１つの具体例では、クリーニング・システムは、クリーニング泡を形成する前にクリーニング薬剤を加熱するように適合され構成されたヒータを含む。さらに別の具体例では、方法は、クリーニング液体と共に泡を形成するために使用される空気を加熱するためのヒータを含む。さらに別の具体例では、クリーニング装置は、加熱された周囲空気源を有する（工事現場において使用される「アリゲータ（ａｌｌｉｇａｔｏｒ）」スペースヒータに類似する）１つ又は複数の空気ブロワを含む。これらの高温空気ブロワは、エンジンの入口に位置決めすることができ、エンジンを、（周囲状態に基づくものになり得る）所定の時間期間の間自走させることができ（すなわち燃料の燃焼無しでスタータ上で回転させる）、又はエンジンの高温領域の熱電対又は他の温度測定デバイスが所定温度に到達するまで、自走させることができる。さらに別の具体例では、クリーニング泡の導入前のエンジンの温度は、エンジンを起動させ、アイドリング状態で所定の期間エンジンを作動させることによって上昇させることができ、その後、クリーニング泡の導入前にエンジンを停止させることができる。さらに別の具体例では、エンジンは、アイドリングからの停止後且つ薬剤の導入前に自走させて泡の導入前に一貫したベースライン温度状態をさらに達成することができる。本発明のさらに別の具体例は、事前加熱された液体薬剤、発泡に使用される事前加熱された圧縮空気、外部加熱されたエンジン、及び１つ又は複数の直近の作動期間によって「暖められた」エンジンの任意の組み合わせを企図する。
【００２１】
本発明のさらに別の具体例では、クリーニング泡は、クリーニング泡を混合し形成するために使用されるデバイス内に加熱素子を提供することによって加熱できる。
【００２２】
この「発明の概要」において並びに本出願の他所において説明するさまざまな装置及び方法が、多数のさまざまな組み合わせ及び副組み合わせとして表現できることが理解されよう。すべてのそのような有用な、新規の、発明的組み合わせ及び副組み合わせが、本明細書において企図され、これらの組み合わせの各々の明示的表現は不必要であることが認識される。
【００２３】
本明細書において示す図の一部は、寸法を含むことができる。さらに、本明細書において示す図の一部は、拡縮された図又は拡縮可能な写真からできている。そのような寸法又は図内の相対的拡縮は、実例として存在するものであり、限定的であると解釈されるものではないことが理解される。
【図面の簡単な説明】
【００２４】
【図１】ガス・タービン・エンジンの概略図。
【図２】本発明の１つの具体例によるクリーニング装置の概略図。
【図３Ａ】図２の装置の一部の写真。
【図３Ｂ】設置されたエンジンの入口内に泡を提供することを示す、図２の装置の一部の写真。
【図３Ｃ】エンジン入口の正面の本発明の１つの具体例によるノズルの写真。
【図３Ｄ】エンジン入口の正面の本発明の別の具体例によるノズルの写真。
【図４】本発明の１つの具体例による泡の構造の写真。
【図５】（意図的に空白）
【図６】本発明の１つの具体例によって洗浄される前後のエンジンの排気構造の部分の写真。
【図７】本発明の１つの具体例によって洗浄されるエンジンにおけるエンジン起動時間における改善のグラフ。
【図８】本発明の１つの具体例によるエンジン試験スタンド上で洗浄されるエンジンの写真。
【図９】図８の装置の一部分の写真。
【図１０】本発明の１つの具体例によって洗浄されるエンジンのパラメータ改善のグラフ。
【図１１】本発明の１つの具体例によって洗浄されるエンジンのパラメータ改善のグラフ。
【図１２Ａ】本発明の１つの具体例によるクリーニング・システムの概略図。
【図１２Ｂ】本発明の別の具体例によるクリーニング・システムの概略図。
【図１３Ａ】図１２Ａの装置の一部分の１つの具体例の写真。
【図１３Ｂ】図１２Ａの装置の一部分の１つの具体例の写真。
【図１３Ｃ】図１２Ａの装置の一部分の１つの具体例の写真。
【図１４Ａ】図１３の装置の一部分の拡大写真。
【図１４Ｂ】図１３の装置の一部分の拡大写真。
【図１４Ｃ】図１３の装置の一部分の拡大写真。
【図１４Ｄ】図１３の装置の一部分の拡大写真。
【図１５Ａ】図１３のキャビネットの内部の写真。
【図１５Ｂ】図１３のキャビネットの内部の写真。
【図１５Ｃ】図１３のキャビネットの内部の写真。
【図１５Ｄ】図１３のキャビネットの内部の写真。
【図１６Ａ】図１５Ｂに示す構成要素の写真。
【図１６Ｂ】図１５Ｂに示す構成要素の写真。
【図１６Ｃ】図１５Ｂに示す構成要素の写真。
【図１６Ｄ】図１５Ｂに示す構成要素の写真。
【図１６Ｅ】図１５Ｂに示す構成要素の写真。
【図１６Ｆ】図１５Ｂに示す構成要素の写真。
【図１７】（意図的に空白）
【図１８Ａ】本発明のさまざまな具体例による核生成チャンバの切断概略図。
【図１８Ｂ】本発明のさまざまな具体例による核生成チャンバの切断概略図。
【図１８Ｃ】本発明のさまざまな具体例による核生成チャンバの切断概略図。
【図１８Ｄ】本発明のさまざまな具体例による核生成チャンバの切断概略図。
【図１８Ｅ】本発明のさまざまな具体例による核生成チャンバの切断概略図。
【図１８Ｆ】本発明のさまざまな具体例による核生成チャンバの切断概略図。
【図１８Ｇ】本発明のさまざまな具体例による核生成チャンバの切断概略図。
【図１８Ｈ】本発明のさまざまな具体例による核生成チャンバの切断概略図。
【図１８Ｉ】本発明のさまざまな具体例による核生成チャンバの切断概略図。
【図１８Ｊ】本発明のさまざまな具体例による核生成チャンバの切断概略図。
【図１８Ｋ】本発明のさまざまな具体例による核生成チャンバの切断概略図。
【図１８Ｌ】本発明のさまざまな具体例による核生成チャンバの切断概略図であり、本発明の１つの具体例による核生成チャンバの概略図を示し、核生成チャンバ１２６０の断面図ＡＡである。
【図１８Ｍ】本発明のさまざまな具体例による核生成チャンバの切断概略図であり、本発明の１つの具体例による核生成チャンバの概略図を示し、図１８Ｌの１８Ｍ−１８Ｍから見た場合の、核生成チャンバ１２６０の端面図。
【図１８Ｎ】本発明のさまざまな具体例による核生成チャンバの切断概略図であり、本発明の１つの具体例による核生成チャンバの概略図を示し、図１８Ｌの装置の一部分の拡大図。
【図１８Ｏ】本発明のさまざまな具体例による核生成チャンバの切断概略図であり、本発明の１つの具体例による核生成チャンバの概略図を示し、図１８Ｌの装置の一部分の拡大概略図。
【図１８Ｐ】本発明のさまざまな具体例による核生成チャンバの切断概略図であり、本発明の１つの具体例による核生成チャンバの概略図を示し、図１８Ｌの装置の一部分の拡大概略図。
【図１８Ｑ】本発明のさまざまな具体例による核生成チャンバの切断概略図であり、本発明の１つの具体例による核生成チャンバの概略図を示し、図１８Ｌの装置の一部分の拡大概略図。
【図１８Ｒ】本発明のさまざまな具体例による核生成チャンバの切断概略図であり、本発明の１つの具体例による核生成チャンバの概略図を示し、図１８Ｌの装置の一部分の拡大概略図。
【図１９Ａ】本発明の１つの具体例によるシステムによってクリーニングされている航空機エンジンの絵画図。
【図１９Ｂ】本発明の１つの具体例によるシステムによってクリーニングされている航空機エンジンの絵画図。
【図１９Ｃ】本発明の１つの具体例によるシステムによってクリーニングされている航空機エンジンの絵画図。
【図１９Ｄ】設置されたエンジンが泡で洗浄される状態の航空機のＣＡＤ図。
【図１９Ｅ】本発明のさまざまな具体例による複数の流出物コレクタのＣＡＤ図。
【図２−１Ａ】本発明の１つの具体例によるシステムによってクリーニングされている航空機エンジンの絵画図。
【図２−１Ｂ】本発明の１つの具体例によるシステムによってクリーニングされている航空機エンジンの絵画図。
【図２−２】本発明の１つの具体例によるシステムによって及び流出物捕捉デバイスの１つの具体例によってクリーニングされている航空機エンジンの絵画図。
【図２−３】１つの航空機シナリオに従って、本発明の１つの具体例によるシステムによって及び流出物捕捉システムの１つの具体例によってクリーニングされている航空機エンジンの絵画図。
【図２−４】可変泡流出物捕捉システムを伴って、本発明の１つの具体例によるシステムによってクリーニングされている航空機エンジンの絵画図。
【図２−５】本発明の１つの具体例によるシステムによってクリーニングされている航空機エンジンの概略図及び創作写真図。
【図２−６】（意図的に空白）
【図２−７】本発明によるクリーニング・プロセスの概略図。
【図２−８Ａ】本発明の１つの具体例による泡注入システムを示すエンジンの概略図。
【図２−８Ｂ】本発明の１つの具体例による泡注入システムを示すエンジンの概略図。
【図２−９Ａ】本発明の１つの具体例による泡連結システムを示す、エンジンの切断内部の概略図。
【図２−９Ｂ】本発明の１つの具体例による泡連結システムを示す、内部及び外部構成要素を伴ったエンジン切断概略図。
【図２−１０】本発明の１つの具体例／方法によるエンジン・クリーニング・サイクル規定のグラフ。
【図２−１１】本発明の１つの具体例／方法によるエンジン監視及び利益の定量化のための１つの方法のグラフ。
【図２−１２Ａ】本発明の１つの具体例による流出物コレクタの写真。
【図２−１２Ｂ】図２〜図１２Ａの装置の後部を向いた正面図。
【図２−１２Ｃ】図２から１２Ａの装置の前方を向いた後面図。
【発明を実施するための形態】
【００２５】
（要素の符号）
以下は、要素の符号及びその要素を説明するために使用される少なくとも１つの名称のリストである。本明細書において開示する具体例のいずれも、これらの名称に限定されず、これらの符号は、さらに、当業者がこの開示を全体的に読み取り検討することによって理解される他の言葉を含み得ることが理解される。
【表１】
0006543636.tif 000002
【００２６】
本発明の原理の理解を促す目的で、図示する具体例を参照して、特有の語が、これを説明するために使用される。そうではあるが、本発明の範囲の限定は、それによって意図されず、例示するデバイスにおけるそのような代替形態及びさらなる改変形態、並びにこの中に例示する本発明の原理のそのような別の用途が、本発明に関係する当業者に通常想定されるように企図されることが理解されよう。本発明の少なくとも１つの具体例が説明され示されるが、本出願は、本発明の他の具体例を示す、及び／又は説明することができる。
【００２７】
「本発明」の語は、本発明の一群の具体例に対する言及され、別途明示的に述べない限り、すべての具体例内に含まれなければならない装置、プロセス、又は組成物を含む具体例は１つも存在しないことが理解される。さらに、本発明の一部の具体例によって提供される「効果」に関する論議が存在するが、他の具体例は、これらの効果を奏さなくてよく、又はさらに異なる効果を奏してもよいことが理解される。本明細書において説明するいかなる効果も、特許請求の範囲のいかなるものに対する限定としても解釈されるものではない。「好ましくは」などの選好を示す言葉の使用は、少なくとも１つの具体例に存在するが、一部の具体例では任意選択である構成及び態様を指す。
【００２８】
符号（ＮＸＸ．ＸＸ）のＮ系の接頭辞の使用は、図示され説明される場合を除いて、接頭辞無しの要素（ＸＸ．ＸＸ）と同じである要素を指す。１つの実例として、要素１０２０．１は、図示し説明する要素１０２０．１の異なる構成のもの以外は、要素２０．１と同じである。さらに、関連付けられた要素の共通の要素及び共通の構成は、異なる数字で同じ方法で描かれてよく、並びに／又は異なる図において同じ記号を使用してもよい。したがって、同じである１０２０．１及び２０．１の構成を説明することは必要とされず、その理由は、これらの共通の構成は、関連する技術分野の当業者にとって明らかであるためである。さらに、構成１０２０．１及び２０．１は、当業者によって理解されるように、構成（ＮＸＸ．ＸＸ）が、他のさまざまな具体例（ＭＸＸ．ＸＸ）と適合する構成を含むことができるように後方互換性になり得ることが理解される。この説明の慣習はまた、ダッシュ（’）、二重ダッシュ（”）、及び三重ダッシュ（”’）の接尾要素番号の使用にも適用する。したがって、同じである２０．１，２０．１’，２０．１”，及び２０．１”’の特徴を説明することは必要とされず、その理由は、これらの共通の構成は、関連する技術分野の当業者にとって明らかであるためである。
【００２９】
さまざまな特有の量（空間次元、温度、圧力、時間、力、抵抗、電流、電圧、濃度、波長、周波数、伝熱係数、無次元パラメータなど）が、本明細書において述べられるが、そのような特有の量は、実例としてのみ提示され、さらに、別途明示的に指摘されない限り、近似値であり、言葉「約」が各々の量に前置きされているように考慮されなければならない。さらに、特有の組成物に関する論議において、その説明は、実例としてのみであり、その組成物の他の種の適用を限定するものではなく、引用した組成物に関連しない他の組成物の適用を限定するものではない。
【００３０】
以下では、本発明の特定の具体例を表す段落が続く。後続のこれらの段落では、一部の要素番号には、「Ｘ」の接頭辞が付けられ、これは、その言葉が、図に示し又は本文に説明する類似の構成の任意のものに関することを示す。
【００３１】
本発明のさまざまな具体例と共に本明細書において示し説明するものは、実行された１つ又は複数の試験の論議である。そのような実例は、例としてのみであり、本発明のいかなる具体例に対する限定としても解釈されるものではないことが、理解される。さらに、本発明の具体例が、本明細書において提示する数学的分析に必ずしも限定されず、又はこれによって説明されないことが理解される。
【００３２】
１つ又は複数のプロセス、アルゴリズム、作動方法、又は論理にさまざまな参照をなすことができ、これには、特定のシーケンスにおけるそのような組織化を示す図を伴う。そのようなシーケンスの順序は、例としてのみであり、本発明のいかなる具体例を限定することも意図されないことが理解される。
【００３３】
製造の１つ又は複数の方法にさまざまな参照が可能である。これらは、例としてのみであり、本発明のさまざまな具体例は、実例として、鋳造、センタリング、溶接、放電加工、フライス削りなどの多種多様な方法で製作できることが、理解される。さらに、さまざまな他の具体例が、さまざまな付加的製造方法の任意のものによって製作されてよく、付加的製造方法の一部は、３Ｄ印刷と称される。
【００３４】
本文献は、異なる言葉を使用して、同じ符号を説明する、又は特有の一群の特徴（ＮＸＸ．ＸＸ）内の符号を指すことがある。そのような複数の用法は、本明細書におけるいかなる言語の再定義も提供するようには意図されていないことが理解される。そのような言葉は、特定の構成が、さまざまな言語学的な方法で考慮されてよく、そのような方法は、必ずしも付加的又は排他的ではないことが理解される。
【００３５】
本明細書において示し説明するものは、変数の中でも１つ又は複数の関数関係である。変数の特有の術語体系が提供できるが、一部の関係は、その意味に関して当業者によって認識される変数を含み得る。例えば、「ｔ」は、その用法によって容易に明らかになるように、温度又は時間を表すことができる。しかし、そのような関数関係は、数学的分析の標準的技術を用いてさまざまな等価物において表される（例えば、関係Ｆ＝ｍａは、関係Ｆ／ａ＝ｍと等しい）ことがさらに認識される。さらに、関数関係が、アルゴリズム又はコンピュータ・ソフトウェアにおいて実装される具体例では、アルゴリズムされた変数は、本明細書において示す変数に対応することができ、このときこの対応は、倍率、制御システム利得、ノイズ・フィルタ、又はそのようなものを含むことが理解される。
【００３６】
多種多様な方法が、ガス・タービン・エンジンをクリーニングするために使用されてきている。一部のユーザは、エンジンの入口内に噴霧された水を利用し、他は、エンジンの入口内に噴霧されたクリーニング流体を利用し、さらに別のユーザは、クルミ殻などの固体の研磨材料をエンジンの入口に提供する。
【００３７】
これらの方法は、さまざまな度合いの成功を達成しており、さらに、さまざまな度合いの問題も起こしている。例えば、エンジンの高温領域をクリーニングするのに十分強力であり、高温領域材料上に化学的に受け入れ可能である一部のクリーニング剤は、エンジンの低温領域に使用される材料上では化学的に受け入れ不能である。水洗浄は、エンジンのいかなる材料上でも使用されるのに十分に穏やかであるが、特に困難な沈殿物を除去することに効果的ではなく、さらに、圧縮機の一部の段内にシリカの沈殿物を残す可能性がある。いくつかの水溶性クリーニング剤が、ＭＩＬ−ＰＲＦ−８５７０４Ｃにおいて認識されているが、これらのクリーニング剤の多くのユーザは、これらが、性能をエンジン作動パラメータまで回復させることにおいてはかろうじて成功していると考えており、さらに他のユーザは、これらのＭＩＬクリーニング剤での洗浄だけでは、実際には、一部の作動パラメータを低下させることがあることを指摘している。
【００３８】
したがって、航空機の多くのオペレータは、一部の液体クリーニング方法に関して、すなわちエンジンに対する性能を回復させることに、液体がいかに効果的であるかに関してなされた主張に懐疑的である。液体洗浄のコストは、エンジンの液体洗浄及び飛行体が作動から外される時間の価格を含む。しばしば、液体洗浄の利益は、負担したコストを上回らず、又はわずかな商業利益しかもたらさない。
【００３９】
本発明のさまざまな具体例は、ガス・タービン・エンジンを泡で洗浄することによって得られる大幅な商業利益を示している。本明細書において示すように、エンジンの泡クリーニングは、液体洗浄で得ることができない改善を含む、作動パラメータにおける大幅な改善を提供することができる。泡洗浄によって実現される大幅な改善の理由は、完全には理解されていない。バック・ツー・バック（back to back）エンジン試験が、同じ特有のエンジンで実行されている。これでは、噴霧された液体が入口に導入され、その後、同じ液体の泡が入口に導入される。すべての場合において、液体（又は泡）は、エンジン排気領域において観察されており、これは、液体（又は泡）がガス経路全体を濡らしていると考えられることを示す。それにも関わらず、発泡液体の使用は、特定の動力出力を達成するのに必要とされる、エンジン起動時間、燃料消費率、及びタービン温度などの重要な作動パラメータにおける液体洗浄のあらゆる改善を上回る大きな改善を提供する。
【００４０】
本発明の一部の具体例は、水溶性クリーニング剤から泡を生成するためのシステムに関する。水溶性薬剤又は非水溶性薬剤によって許容可能な泡を形成する装置及び方法について相違が存在することが見出されている。本発明のさまざまな具体例は、加圧された液体及びさらに加圧された空気が提供される核生成チャンバを含むシステムに関する。
【００４１】
この泡を従来の噴霧ノズルによってエンジン入口に注入することが、泡のクリーニング効果性を低減し得ることが見出されている。さらに、泡を核生成チャンバからノズルに送出するあらゆる配管、チューブ又はホースは、全体的に平滑であるべきであり、流路における乱流発生構成（鋭敏な転回、泡流路の流れ領域における突然の低減、又は泡の速度を増大させる収束などの過剰な収束を備えた領域を有する送出ノズルなど）を実質的に有してはならない。
【００４２】
本発明のさまざまな具体例において、泡のより高いエネルギー状態を維持し、送出前にそのエネルギーを放散させない、生成された泡用の流路を提供することが役に立つ。図３Ｂは、本発明の１つの具体例によって送出されている泡を示す。ノズル３０が、ほぼ同じ直径のものである泡の流れ（ストリーム）を提供することを見ることができる。図３Ｂの写真では収束部はわずかしか又は全く明らかではなく、流れストリームの逸脱もない。さらに、泡の流れストリーム内のさざ波又は「塊」は、低速送出システムを示すものであり、この場合、スピナに当たったときに泡ストリームに付与された乱れは、明らかに、上流側にノズルに向かって進む。泡流路内の「塊」の振幅は、スピナが泡に当たった近くで最大の大きさになり、出口ノズル３０の方向に向かうにつれて大きさが小さくなっていくことがわかる。泡出口ノズル３０は、略一定の直径のものであり、好ましくは、約４５７．２ｃｍ（約１５フィート）毎秒未満の速度である。
【００４３】
本発明のさまざまな具体例はまた、加圧された状態の（空気、窒素、二酸化炭素、又は任意の他のガスを含む）ガスをクリーニング液体の流れ内に導入することによって支援される。好ましくは、空気は、約５ｐｓｉｇを超え、且つ約１２０ｐｓｉｇ未満に加圧され、ポンプ又は加圧されたリザーバによって供給される。本発明の一部の具体例は、周囲空気を同伴し得る空気流排出装置の使用を含むが、加圧された空気を使用するさらに他の具体例が、改善された結果をもたらすことが見出されている。
【００４４】
本発明のさらに他の具体例は、航空機エンジンでの泡クリーニングの商業的用途に関する。先に論じたように、発泡されたクリーニング剤が、非発泡のクリーニング剤よりも優れた結果をもたらす機構は、現時点ではよく理解されていない。逆に、ジェット・エンジン保全分野の多くの専門家は、最初、発泡されたクリーニング剤が、非発泡のクリーニング剤によってもたらされるような同じ残念な結果をもたらすと考える。したがって、泡クリーニング剤の使用がよりよく理解されるにつれ、一群のエンジンを支える上での財政的考慮に対する改善された泡クリーニングの効果が、よりよく理解されるようになる。本明細書において文書化された試験によって示された、作動温度、燃料消費率、及び起動時間における改善などのこれらの改善の一部は、容易に明らかにできる。泡クリーニング剤の使用からのさらに他の影響は、エンジン内の、寿命が限定された他の構成要素の設計にさらに影響を与えることができる。
【００４５】
例えば、エンジンは、現在、（使用時間、時間温度、エンジンサイクルの回数、又は他のベースのものなど）の寿命が限定された部品を用いて設計されており、これらの構成要素の検査は、エンジンの液体洗浄と同時に予定できる。しかし、泡洗浄は、使用されたエンジンを、液体洗浄より良好な性能レベルまで回復させるため、泡洗浄の使用は、通常、エンジンを航空機に設置することができる時間を増大させることができる。しかし、（液体洗浄間の間隔と比較して増大した）泡洗浄間の時間の増大は、泡洗浄が、寿命が限定された部品の検査と同時に行われない程度まで長くなり得る。これらの条件下、これは、寿命限定された部品をわずかに長いサイクルに合わせて設計するという財政的見返りとなり得る。より長くなった寿命の、寿命が限定された構成要素のコストにおける増大は、泡クリーニングされたエンジンが翼上に留まることができる時間の増大によって相殺されるものを上回ることができる。
【００４６】
そのような具体例では、少なくとも部分的に泡洗浄の結果から生じる改善されたクリーニングによって、エンジン洗浄、検査、及び保全間隔にパラダイム変化が生じ得る。一部の具体例では、（起動時間、最大定格出力における温度、燃料消費率、炭素放出、窒素酸化物放出、巡航及び離陸におけるエンジンの通常の作動速度など）のエンジン性能のパラメータに対する泡洗浄の効果が、定量化できる。この定量化は、一群のエンジンに行うことができるが、一部の場合、異なる系列間で適用可能である。その系列内の特有のエンジンが、航空機で作動されるとき、航空機のオペレータは、その特有のエンジンの泡洗浄によって得られる改善に相関付けられ得る作動パラメータにおける何らかの変更を指摘する。航空機オペレータによって得られたこの情報は、（ＵＳ政府、エンジン製造者、又はエンジン・リース会社になり得る）エンジン所有者に渡され、その所有者は、その特有のエンジンの泡クリーニングをいつ予定するかを決定する。
【００４７】
本明細書で説明する泡洗浄方法及び装置のさまざまな具体例が、使用されたエンジンからの汚染物質を除去することにおいて、液体クリーニング剤のスプレ・クリーニングによるものよりも効果的であることが実験から見出されている。一部の場合、泡クリーニング後にタービン内に収集された流出物が、液体洗浄後にタービン内に収集された流出物と比較され、このとき液体洗浄は、泡洗浄よりも先に行った。これらの場合、泡流出物は、その中に、液体洗浄によって除去されなかったかなりの量の汚れ及び堆積物を含んでいることが見出された。
【００４８】
一部の系列のエンジンでは、泡洗浄の使用は、コンバスタ・ライナの清浄度に改善をもたらすと考えられる。コンバスタ・ライナは、複雑な配置の冷却穴を含むことがよく知られており、これらの冷却穴は、ライナ自体に対して安全な温度を維持するだけでなく、さらにガス経路の温度を低下させ、それによって窒素酸化物の形成を抑制するように設計されている。本発明のさまざまな具体例は、クリーニングされたエンジンの窒素酸化物の放出の低減を実証することが予想される。
【００４９】
図１〜図４は、本発明の１つの具体例による洗浄又はクリーニング・システム２０のさまざまな図を表す。図示し説明するものは、ガス・タービン・エンジンのクリーニングに適用される洗浄システム２０であるが、本発明のさまざまな具体例が、あらゆる物体のクリーニングを企図することが理解される。
【００５０】
図１及び図２は、ジェット・エンジン１０をクリーニングするために使用されるシステム２０を概略的に表す。エンジン１０は、通常、入口１１と、ファン１２と、１つ又は複数の圧縮機１３とを含む低温領域を含む。圧縮された空気は、コンバスタ１４と、１つ又は複数のタービン１５と、実例として簡単な収束ノズル、（図６に見られる）ノイズ低減ノズル、及び（燃焼後エンジンと共に使用され、収束及び分岐領域を含むものなどの）冷却されたノズルを含む排気システム１６とを含むエンジン１０の高温領域に提供される。
【００５１】
図２は、エンジン１０を泡によってクリーニングするために使用されるシステム２０を概略的に示す。システム２０は、通常、ガスの供給源２６と、水の供給源２４と、クリーニング薬剤の供給源２２とを含み、これらすべては、発泡システム４０に提供される。発泡システム４０は、これらの投入された成分を受け入れ、泡２８の出力をノズル３０に提供し、ノズル３０は、この泡をエンジン１０の入口１１に提供する。しかし、さらに他の具体例は、泡が最初に圧縮機領域１３に提供されるように、又は一部の具体例では、最初にエンジン１０のさらに他の構成要素に提供されるようにノズル３０を位置決めすることを企図する。システム２０は、好ましくは、エンジン１０の排気部１６の後方に置かれた流出物コレクタ３２を含み、それによってその中に、使われた泡、薬剤、水、及びエンジン１０から除去された粒子状物質を収集する。
【００５２】
図３Ａ及び図３Ｂは、作動中の洗浄システム２０を表す。１つの具体例では、発泡システム４０は、キャビネット４２内に設けられる。キャビネット４２は、好ましくは、（図１５を参照して図示し説明する）核生成チャンバ、ポンプ、並びにさまざまな弁及び配管を含む、泡２８を形成するために使用されるさまざまな装置を含む。キャビネット４２は、好ましくは、（図１２〜図１４を参照して説明する）多様な流量計又は蠕動ポンプ４４、圧力ゲージ４６、及び圧力調節器４８を含む。
【００５３】
図３Ｂは、泡２８をエンジンの入口１１に注入するノズル３０の写真である。図４は、本発明の１つの具体例による泡２８の拡大写真である。
【００５４】
図３Ｃ及び図３Ｄは、本発明の他の具体例による入口１０の正面のノズル３０を示す。一部の具体例は、ノズルの対を利用し、これらのノズルは、泡を、エンジンの中心線の両側にあることを除いて、ほぼ同じ場所及び空間から入口に送出することを見ることができる。通常、一部の具体例におけるノズルは、泡のストリームを周囲状態に提供する非噴霧式ノズルを有する。図３Ｃ及び図３Ｄに見ることができるように、ノズル装置３０の断面積は、一体的な中央送出チューブから、各々がほぼ同じ断面積である隣合わせの出口ノズルの対にかけて全体的に増大する。したがって、装置３０の流路に沿った長さの関数としての断面積は、中央領域においては比較的一定であるが、次いで、中央領域が２つの隣合わせのノズルに分割するために増大する。
【００５５】
図６〜図１１は、本発明のさまざまな具体例によって実行されたさまざまな試験に関する。図６は、既存の手順による洗浄後、及び本発明の具体例によって実行された洗浄後の両方における、波形周囲ノイズ抑制排気ノズル１６の図を提供する。左及び右の写真を比較して、本発明の１つの具体例によって実行された洗浄後（右写真）、排気ノズル１６は、標準的な洗浄手順（左写真）後にこれまで達成された清浄度のレベルを超えてクリーニングされたことを見ることができる。
【００５６】
図７は、標準的な洗浄後及び本発明の１つの具体例による洗浄後の結果を含む、エンジン起動時間における改善の絵画図を提供する。標準的な洗浄は、特定のエンジンの起動時間を３秒だけ、すなわち６９秒から６６秒に短縮したことを見ることができる。しかし、本発明の洗浄システムによる同じエンジンのその後の洗浄は、約９秒の起動時間のさらなる短縮をもたらし、したがって本発明の１つの具体例によるクリーニング方法が、（噴霧されたクリーニング流体のスプレがエンジンの入口内に提供される方法などの）標準的な洗浄によって達成された改善以上に、エンジンガス経路の流動力学を改善することができることを示した。
【００５７】
図８〜図１１は、ヘリコプタ・エンジン上で実行された試験及び試験結果を示す。図８及び図９は、二重排気ノズル１６を出た流出泡２８でクリーニングされているエンジン１０を示す。図１０は、ヘリコプタ・エンジン上で実行された複数の起動試験の結果を示す。使用されたエンジンの起動時間が、既存の洗浄技術を使用して約５パーセント短縮されたことを見ることができる。しかし、本発明の１つの具体例によるクリーニング・システムを用いてその同じエンジンをクリーニングすることで、依然としてさらなる利得及び（元の使用されたエンジンと比較して）２２パーセントを超える起動時間の減少がもたらされた。
【００５８】
図１１は、クリーニング前後に全速力で作動するヘリコプタ・エンジンの排気ガス温度マージンの改善を絵で表す。エンジンに対する既存のクリーニング・システムの使用は、ＥＧＴマージンにおいて測定可能な改善はもたらさなかったことを見ることができる。しかし、その同じエンジンは、本発明の１つの具体例によるシステム及び方法を用いてクリーニングされた後、３０℃を超えるＥＧＴマージン（すなわち冷却器を稼動させる能力）の増大を示した。
【００５９】
図１２Ａ及び図１２Ｂは、本発明のさまざまな具体例による洗浄システム２０及び１２０を概略の形で示す。図１２Ａ及び１２Ｂに概略的に示す（圧力ゲージ、流量計、減圧弁、ポンプ、逆止弁、核生成チャンバ、並びに他の弁及び配管を含む）構成要素の多くは、好ましくは、図１３、図１４、及び図１５に見ることができるキャビネット４２内に収容される。
【００６０】
図１３Ａ、図１３Ｂ、及び図１３Ｃは、本発明の１つの具体例による発泡システム４０のキャビネット４２の外部の写真である。さまざまな入口、遮断弁、流量計、圧力ゲージ及び連結部が、これらの写真において見ることができる。さらに、図１３、図１４、及び図１５の描写は、同じ流れシステム４０のものであり、図１５に見えるさまざまな相互連結は、図１３及び図１４に示すキャビネット外部に端を発することができる。
【００６１】
図１４は、図１３の流れキャビネット４２の部分の拡大図である。図１４Ｂは、１つの具体例において、薬剤Ａが、好ましくは、約０．０２６５立法メートル（約７ガロン）毎時で提供され、薬剤Ｂが、約０．０７１９立法メートル（約１９ガロン）毎時で提供されることを示す。図１４Ｃは、核生成チャンバに入る空気流が、約０．３６８立法メートル毎分から約０．３９６立法メートル（約１３から１４立法フィート）毎分までの間であり、泡を形成するために使用された（ポンプ後の）水流が、約０．０２６５立法メートルから約０．０３０３立法メートル（約７から約８ガロン）毎分までの間であったことを示す。図１４Ｄは、ポンプ前に測定された水流が、約０．０２６５立法メートル（約７ガロン）毎分になることを示す。図１４Ｄの圧力ゲージは、約１８〜２０ｐｓｉｇの空気、水、及び泡の作動圧力を示す。これらの特有の設定は、例示としてのみであり、限定的であると解釈されるものではない。さらに、これらの設定は、Ｚｏｋ２７の薬剤Ａ及び／又はＴｕｒｃｏ５８８４の薬剤Ｂを流す具体例と共に利用された。同様に、エンジン・マニュアルに従い、承認された製品又は基本的成分（すなわち、ケロシン、イソプロピル・アルコール、石油系溶剤）の組み合わせを利用することができる。参照として、資格要件を満たした製品リスト又は承認は、ＦＡＡによって、又は海軍航空システム司令部承認によって関連付けられる。そのようなガス経路承認報告書は、業界が従うＭＩＬ−ＰＲＦ−８５７０４文献によって指示される。
【００６２】
図１５は、キャビネット４２内に収容された構成要素及び配管を示し、図１３、図１４、及び図１６に一致するものである。
【００６３】
図１６及び図１８は、本発明のさまざまな具体例による核生成チャンバＸ６０のさまざまな具体例を示す。これらの具体例の多くは、ガス用の入口Ｘ６２と、１つ又は複数の液体用の入口Ｘ６３と、泡出力２８をノズルＸ３０に提供する出口Ｘ６４とを含むハウジングＸ６１を含む。一部の具体例では、ガスチャンバＸ６６は、入口Ｘ６２から圧力下のガスを受け取る。ガスチャンバＸ６６は、好ましくは、ハウジングＸ６１内に封入され、ガスチャンバＸ６６の一部分が、ハウジングＸ６１内で入口Ｘ６３からの流体と接触するように配置される。いくつかの具体例は、ガスチャンバＸ６６を含み、ガスチャンバＸ６６は、チャンバＸ６６の内部通路及びハウジングＸ６１内の流体からの流体連通をもたらす１つ又は複数の開口、又は他の構成Ｘ７０を含む。
【００６４】
開口Ｘ７０からのガスの導入は、核生成ゾーンＸ６５内でクリーニング液体と共に泡を形成するように適合され構成される。好ましくは、泡は、より安定した非発泡液体薬剤のより高いエネルギーの短命状態である泡を形成するためにその任意ものが使用できる、高速エア・ジェット、ディフューザ領域、成長スパイク、及び／又は薬剤の遠心シアリングの適切な配置を用いて、事前認定された航空用薬剤の核生成によって形成される。その結果生じた泡は、クリーニングされるデバイスの入口内に導入するために出口Ｘ６４に提供される。
【００６５】
一部の具体例では、チャンバＸ６０は、さらに、小さい泡セルがより大きい泡セルになる融合を促す材料又は装置が存在するセル成長領域Ｘ７４を含む。さらに他の具体例では、核生成チャンバＸ６０は、泡材料の均一性を改善するための材料又は装置を含むセル構造化領域Ｘ７８を含むことができる。Ｘ６０のさらに別の具体例は、層流領域Ｘ８２を含み、層流領域Ｘ８２内では、発泡された材料２８は、泡セルの長寿命を増大させ、したがってクリーニングされている製品１０の入口１１に送出された泡セルの数を増大させるように乱流が小さくされる。
【００６６】
核生成チャンバＸ６０の一部は、泡流路内に直列に配置された、核生成ゾーン、成長領域、及び構造化領域を含む。さらに他の具体例では、これらのゾーン及び領域は、泡が最初に流路の中央線の近位に形成される状態で、同軸に配置される。さらに他の具体例では、ゾーン及び領域は、泡が流路の周辺において形成され、セルが、成長し、流路の中心に向かって漸進的に構造化される状態で、同軸に配置される。
【００６７】
本明細書において説明する核生成チャンバＸ６０の一部は、単一のプレナム内に配置された、核生成ゾーン、成長領域、及び構造化領域を含む。しかし、さらに他の具体例は、核生成チャンバに対するモジュラ配置を企図することが理解される。例えば、核生成ゾーンは、構造化ゾーン又は層流ゾーンにボルト留めされた別個の構成要素にできる。例えば、さまざまな領域は、フランジ及び締結具、ねじ切りされた継手、又はそのようなものなどによって互いに取り付けられ得る。さらに、システムＸ２０は、単一の核生成チャンバを含むように本明細書において説明される。しかし、クリーニング・システムは、複数の核生成チャンバを含むことができることが理解される。１つの実例として、複数のチャンバは、液体及びガスを提供するマニホールドから供給できる。この平行な流れ配置は、同様に多様化された泡出力を一緒に単一ノズルＸ２８に、又はエンジン入口ジオメトリに最適に合致するようなパターンで配置された複数のノズルに提供することができる。
【００６８】
本明細書において論じるさまざまな洗浄システムＸ２０は、核生成チャンバの入口に提供された液体（水、薬剤Ａ及び薬剤Ｂなど）の混合物を含むことができ、この核生成チャンバ内には、液体の混合物から泡を形成するために、ガスが注入される。しかし、本発明はそのように限定されず、液体が別個に発泡できるこれらの具体例をさらに含む。例えば、本発明の別の具体例によるクリーニング・システムは、薬剤Ａ用の第１の核生成チャンバと、薬剤Ｂ及び水の混合物のための第２の核生成チャンバとを含むことができる。結果として生じた２つの泡は、次いで、単一のノズルＸ２８に提供することができ、又は別個のノズルＸ２８に提供することができる。
【００６９】
後続のさまざまな説明は、数多くの相違及び数多くの類似性を組み込む核生成チャンバＸ６０の多様な具体例に関する。これらの各々は、実例としてのみ提示され、本明細書において表す広範な着想を限定するよう意図されていないことが、理解される。さらに別の実例として、本発明は、液体生成物が入口Ｘ６３に提供され、遠心ガスチャンバＸ６６によって取り囲まれた流路内に流れる具体例を企図する。そのような具体例では、ガスチャンバＸ６６は、環状流れ空間を画定し、圧力下のガスを入口Ｘ６２から環状部内に流れる液体生成物に提供する。
【００７０】
図１８Ａ及び図１８Ｂは、本発明の１つの具体例による核生成チャンバ６０を示す。ハウジング６１は、ガス入口６２と、液体入口６３と、泡出口６４とを含み、泡形成通路が、入口と出口の間に配置されている。ハウジング６１内に含まれるのは、圧力下のガスを入口６２から受け取る略円筒形状のガス・チューブ６６である。ガスチャンバ６６は、円筒形状のチューブとして説明されているが、本発明のさらに他の具体例は、泡が結果として生じるようにガスの流れを液体の流れ内に提供するように適合され構成された任意のサイズ及び形状の内部ガスチャンバを企図する。
【００７１】
ガス・チューブ６６は、ハウジング６１内に略同軸に配置され（同軸の配置は必要とされないが）、それにより、入口６３からの液体は、チューブ６６の外面の周りを全体的に流れる。チューブ６６は、好ましくは、チューブ６６内からのガスを全体的にハウジング６１の内部の泡形成通路に流すように適合され構成された複数の開口７０を含む。図１８Ａに示すように、開口７０は、チューブ６６の長さにほぼ沿って、好ましくは、チューブ６６の円周を取り囲んで配置される。しかし、本発明のさらに他の具体例は、入口に向かって、出口に向かって、ほぼ中央に、又はその任意の組み合わせなどの、チューブ６６の特定の選択部分に限定された場所を有する、開口７０を企図する。
【００７２】
一例として、核生成ジェット７０が、ハウジング６１の断面流れ面積にほぼ等しい、又はその断面積より小さい合計流れ面積を有するように適合され構成される。一例として、ジェット７０は、約３．１８ｍｍ（８分の１インチ）〜約１．５９ｍｍ（１６分の１インチ）の穴直径を有する。
【００７３】
核生成チャンバ６０内の泡は、最初、これまで論じたように、ガス及び液体ストリームの最初の混合を含む核生成ゾーン６５内に形成される。泡がこのゾーンを離れるにつれて、これは、下流側の成長領域７４に流れ込み、対応する成長材料７５を進む。材料７５は、構造的表面領域を提供するように適合され構成され、この構造的表面領域上で、個々の泡セルは、他の泡セルに付着し組み合わさってより多くの泡セルに分割することができる。材料７５は、より大きくより勢力のあるセルをいくつかのより小さいセルに分割する複数の構成を含む。一部の具体例では、材料７５は、好ましくは金属材料から形成されたメッシュである。有機材料が、クリーニングに使用される液体２２への露出に耐えることができる場合、プラスチック材料も代用することができる。材料７５がメッシュ以外の材料になり得ることが、さらに他の具体例によってさらに企図される。
【００７４】
より多くの分割された泡セルが成長領域７４を出ると、これらは、好ましくは、ハウジング６１の内部泡通路内に材料７９を含むセル構造化領域７８に入る。セル構造化領域７８の材料７９は、泡セル・サイズの第１のさまざまな分布を成長領域７４から受け取り、セル・サイズの第２のよりも小さくより狭い分布を出力部６４に提供するように適合され構成される。一部の具体例では、構造化材料７９は、金属から形成されたメッシュを含み、このとき領域７８のメッシュのセル・サイズは、成長領域７４のメッシュ・サイズよりも小さい。
【００７５】
融合し（より豊富なセル）、構造化された（均一性を改善した）セルが、領域７８を出た後、これらは、一部分がハウジング６１内にあることができ、一部分がハウジング６１の外側にあることができる流路の一部分に入り、この流路は、泡２８の層流を提供するように適合され構成される。したがって、層流領域８２の断面積は、好ましくは、核生成領域６５、成長領域７４、又は構造化領域７８の代表的な断面流れ面積よりも大きい。流れ領域８２は、層流を促し、また、そうでなければ泡の量又は品質を低減し得る乱流を阻止する。さらに、装置６０の出力領域は、ノズル３０まで延びる流れ通路と共に全体的に平滑であり、十分に緩やかな転換半径によって層流をさらに促し、乱流を阻止する。
【００７６】
図１６は、本発明の１つの具体例による核生成チャンバ２６０を示す。ハウジング２６１は、ガス入口２６２と、液体入口２６３と、泡出口２６４とを含み、このとき泡形成通路は、入口と出口の間に配置されている。円筒形状のハウジング２６１内に含まれるのは、圧力下のガスを入口２６２から受け取る略円筒形状のガス・チューブ２６６である。ガスチャンバ２６６は、円筒形状のチューブとして説明されているが、本発明のさらに他の具体例は、泡が結果として生じるようにガスの流れを液体の流れ内に提供するように適合され構成された任意のサイズ及び形状の内部ガスチャンバを企図する。
【００７７】
ガス・チューブ２６６は、ハウジング２６１内にほぼ同軸に配置され（同軸の配置は必要とされないが）、それにより、入口２６３からの液体は、チューブ２６６の外面の周りを全体的に流れる。チューブ２６６は、好ましくは、チューブ２６６内からのガスを全体的にハウジング２６１の内部の泡形成通路内に流すように適合され構成された複数の定間隔で離間された開口２７０を含む。図１６Ａに示すように、開口２７０は、チューブ２６６の長さにほぼ沿って、好ましくは、チューブ２６６の円周を取り囲んで配置される。
【００７８】
核生成、成長、及びセル構造化ゾーン（それぞれ２７２、２７４及び２７８）は、同軸に配置される。核生成ゾーン２７２は、チューブ又は管２６６の外周間に形成される。成長領域２７４のワイヤ・メッシュ材料２７５は、チューブ２６６の外周の周りに巻き付き、これは、図１６Ｆに最適に見られる（ここではこれは、３つの電気接続ストリップによって所定位置に保持されて示される）。核生成領域２７２は、管２６６の外周と成長材料２７５の最も内側の表面との間に形成される。ガス気泡が開口２７０から発せられ、核生成ゾーン２７２を通り抜けるとき、泡が形成され、泡セルは、メッシュ材料２７５の１つ又は複数のほぼ同軸の層を通り抜ける。より大きい泡セルが成長領域２７４の材料２７５を出るとき、より大きいセルは、次いで、（図１６Ｃ及び図１６Ｆを参照して最適に見られるような）セル構造化及び均一化領域２７８を備える、環状に配置された織物金属材料２７９内に進む。図１６Ｅを参照すれば、１つの具体例における均一化領域２７８の材料２７９が、核生成チャンバ２６０の中央線に向かって先細になることを見ることができる。泡セルは、これまで論じたような方法で、液体、及びガスの混合によって形成され、サイズが増大され、均一化される。
【００７９】
融合（成長）し、構造化された（均一性を改善した）セルが、領域２７８を出た後、これらは、一部分がハウジング２６１内にあることができ、一部分がハウジング２６１の外側にあることができる流路の一部分に入り、この流路は、泡２２８の層流を促すように適合され構成される（図１６Ｅ、図１５Ａ及び図１５Ｂに最適に見られる）。出口２６４から（図１３Ｂ及び図１５Ａに最適に見られるような）キャビネット４２に設けられた出口２２８−１までの流路の外径は、核生成チャンバ２６０の外径とほぼ同じサイズのものであることを見ることができる。しかし、（図１６Ａ及び図１６Ｆから視覚化できる）核生成チャンバ２６０の断面は、（図１５Ａに最適に見られるように）出口２６４の下流側の配管の断面流れ面積よりも小さい流れ断面積を有し、チャンバ２６０内の泡流路の断面流れ面積は、材料２７５及び２７９によって部分的にブロックされる。（図１５Ａ及び図１５Ｂに最適に見られるような）流れ領域２８２は、層流を促し、また、そうでなければ泡の量又は品質を低減し得る乱流を阻止する。さらに、装置２６０の出力領域は、ノズル２３０まで延びる流れ通路と共に全体的に平滑であり、十分に緩やかな転換半径によって層流をさらに促し、乱流を阻止する。
【００８０】
図１８Ｃは、本発明の１つの具体例による核生成チャンバ３６０を示す。ハウジング３６１は、ガス入口３６２と、液体入口３６３と、泡出口３６４とを含み、このとき泡形成通路は、入口と出口の間に配置されている。ハウジング３６１内に含まれるのは、圧力下のガスを入口３６２から受け取る略円筒形状のガス・チューブ３６６である。ガスチャンバ３６６は、円筒形状のチューブとして説明されているが、本発明のさらに他の具体例は、泡が結果として生じるようにガスの流れを液体の流れ内に提供するように適合され構成された任意のサイズ及び形状の内部ガスチャンバを企図する。
【００８１】
ガス・チューブ３６６は、ハウジング３６１内にほぼ同軸に配置され（同軸の配置は必要とされないが）、それにより、入口３６３からの液体は、チューブ３６６の外面の周りを全体的に流れる。チューブ３６６は、好ましくは、チューブ３６６内からのガスを全体的にハウジング３６１の内部の泡形成通路内に流すように適合され構成された複数の開口３７０を含む。図１８Ｃに示すように、開口３７０は、チューブ３６６の長さにほぼ沿って、好ましくは、チューブ３６６の円周を取り囲んで配置される。
【００８２】
核生成ゾーン３６５は、複数の副ゾーン内に配置されたジェット又は穿孔部３７０を含み、そのような副ゾーン３７２内のジェットは、さまざまな迎え角で、流れる液体内にガスを導入する。第１の核生成ゾーン３７２ａは、第２の中間の核生成ゾーン３７２ｂの上流側に配置され、第２の中間の核生成ゾーン３７２ｂの後に、第３の核生成ゾーン３７２ｃが続く（その各々は、ガスチャンバ３６６の長さに沿って配置されその長さに沿って離間される）。図１８Ｃに示すように、ゾーン３７２ｂは、ゾーン３７２ａ及び３７２ｃの両方に重複するが、本発明の他の具体例は、重複しないことも含んで、より大きく又はより小さく重複することを企図する。
【００８３】
ゾーン３７２ａ内のジェット又は穿孔部３７０ａは、好ましくは、（図１８Ｃで見て、左から右への流れの）液体の主流にほぼ対向する（又は反する）迎え角を有するように適合され構成される。一例として、これらのジェット３７０ａの中央線は、チャンバ３６０内の泡流路の中央線に対して垂直に延びる線から約３０〜４０度である（すなわち中央線と６０〜５０度の角度を形成する）。したがって、ゾーン３７２ａ内の穿孔部３７０ａから出た空気は、取り囲んでいる液体の流れにエネルギーを付与し、このエネルギーは、液体を減速させるように作用する（すなわち、ノズル３７０ａを出るガスの速度ベクトルは、チャンバ３６０の図１８Ｃ内で左から右に流れる液体の速度ベクトルとは反対の成分を有する）。
【００８４】
ゾーン３７２ｂ内の核生成ジェット３７０は、泡流路内の流体に回転渦を付与するように角度付けされる。１つの具体例では、核生成ジェット３７０ｂは、核生成チャンバ３６０内に竜巻のような回転を付与する方向に、流路中央線から延びる垂線から約３０〜４０度で角度付けされる。
【００８５】
第３の核生成ゾーン３７２ｃは、泡流路内の流れのほぼ全体的方向（すなわち左から右、及びジェット３７０ａの角度配向とはほぼ反対である）に軸線方向に液体を押すような方向に約３０〜４０度で角度付けられた複数のジェット３７０ｃを含む。
【００８６】
ゾーン３７０内の穿孔部又は核生成ジェット３７２は、これまで説明した迎え角を全体的にすべてのジェットの中で又はジェットの一部において部分的にのみ有することができることがさらに理解される。本発明の他の具体例は、ジェット３７０ａ、３７０ｂ、又は３７０ｃそれぞれの一部のみが、これまで説明したように角度付けされ、ジェット３７０ａ、３７０ｂ、又は３７０ｃそれぞれの残りが、異なって配向される、ゾーン３７２ａ、３７２ｂ、３７２ｃを企図する。さらに、これまで示し説明してきたものは、流体の流れのものとは反対の迎え角を有する第１のゾーンＡ、その後に、渦を付与するように配向された迎え角を備えたジェットを有する第２の領域ゾーンＢ、そしてその後に泡を出口に向かって押すように配向された迎え角を備えたジェットを有する第３の領域ゾーンＣが続くものであるが、本発明のさまざまな具体例は、角度付けされたジェットのさらに別の配置を企図することが理解される。一例として、さらに他の具体例は、核生成ゾーンの始まり又は終わりに配置された流体渦領域を企図する。さらに別の例として、さらに別の具体例は、核生成ゾーンの最も遠位の端部に向かって配置された（すなわち成長領域３７４に向かってより近くに配向された）（これまでゾーン３７２ａとして説明した）反流領域を企図する。さらに別の具体例では、これまで説明したゾーンＡ、Ｂ及びＣの特性の１つのみを備えて配置された穴を有するこれらの具体例を含む、ゾーンＡ、Ｂ及びＣの３つすべてではなくより少ないゾーンを備える核生成ゾーンが存在する。
【００８７】
図１８Ｄは、本発明の１つの具体例による核生成チャンバ４６０を示す。ハウジング４６１は、ガス入口４６２と、液体入口４６３と、泡出口４６４とを含み、このとき泡形成通路は、入口と出口の間に配置されている。ハウジング４６１内に含まれるのは、圧力下のガスを入口４６２から受け取る略円筒形状のガス・チューブ４６６である。ガスチャンバ４６６は、円筒形状のチューブとして説明されているが、本発明のさらに他の具体例は、泡が結果として生じるようにガスの流れを液体の流れ内に提供するように適合され構成された任意のサイズ及び形状の内部ガスチャンバを企図する。
【００８８】
ガス・チューブ４６６は、ハウジング４６１内にほぼ同軸に配置され（同軸の配置は必要とされないが）、それにより、入口４６３からの液体は、チューブ４６６の外面の周りを全体的に流れる。チューブ４６６は、好ましくは、チューブ４６６内からのガスを全体的にハウジング４６１の内部の泡形成通路に流すように適合され構成された複数の開口４７０を含む。図１８Ｄに示すように、開口４７０は、チューブ４６６の長さに沿って全体的にランダムに、好ましくは、チューブ４６６の円周を取り囲んで配置される。しかし、本発明のさらに他の具体例は、入口に向かって、出口に向かって、ほぼ中央内に、又はその任意の組み合わせなどの、チューブ４６６の特定の選択部分に限定された場所を有する、開口４７０を企図する。
【００８９】
図１８Ｅは、本発明の１つの具体例による核生成チャンバ５６０を示す。ハウジング５６１は、ガス入口５６２と、液体入口５６３と、泡出口５６４とを含み、このとき泡形成通路は、入口と出口の間に配置されている。ハウジング５６１内に含まれるのは、圧力下のガスを入口５６２から受け取るガスチャンバ又はプレナム５６６である。ガスチャンバ５６６は、円筒形状のチューブとして説明されているが、本発明のさらに他の具体例は、泡が結果として生じるようにガスの流れを液体の流れ内に提供するように適合され構成された任意のサイズ及び形状の内部ガスチャンバを企図する。
【００９０】
ガス・チューブ５６６は、ハウジング５６１内にほぼ同軸に配置され（同軸の配置は必要とされないが）、それにより、入口５６３からの液体は、チューブ５６６の外面の周りを全体的に流れる。チューブ５６６は、好ましくは、チューブ５６６内からのガスを全体的にハウジング５６１の内部の泡形成通路内に流すように適合され構成された複数の開口５７０を含む。図１８Ｅに示すように、開口５７０は、チューブ５６６の長さにほぼ沿って、好ましくは、チューブ５６６の円周を取り囲んで配置される。しかし、本発明のさらに他の具体例は、入口に向かって、出口に向かって、ほぼ中央内に、又はその任意の組み合わせなどの、チューブ５６６の特定の選択部分に限定された場所を有する、開口５７０を企図する。
【００９１】
ゾーン５７２ａ、５７２ｂ、及び５７２ｃ内の開口は、核生成チャンバ５６０に関してこれまで説明したように全体的に配置される。図１８Ｅは、迎え角５７１ａを有する単一の核生成ジェット５７０ａを示す差し込み図を含む。ガス出口ジェット５７０ａの速度ベクトルは、入口５６２及び５６３から出口５６４までの泡流路の全体的流れ方向とは逆である（すなわち上流側への）速度成分を含む。
【００９２】
図１８Ｆは、本発明の１つの具体例による核生成チャンバ６６０を示す。ハウジング６６１は、ガス入口６６２と、液体入口６６３と、泡出口６６４とを含み、このとき泡形成通路は、入口と出口の間に配置されている。ハウジング６６１内に含まれるのは、圧力下のガスを入口６６２から受け取る略円筒形状のガス・チューブ６６６である。ガスチャンバ６６６は、円筒形状のチューブとして説明されているが、本発明のさらに他の具体例は、泡が結果として生じるようにガスの流れを液体の流れ内に提供するように適合され構成された任意のサイズ及び形状の内部ガスチャンバを企図する。
【００９３】
ガス・チューブ６６６は、ハウジング６６１内にほぼ同軸に配置され（同軸の配置は必要とされないが）、それにより、入口６６３からの液体は、チューブ６６６の外面の周りを全体的に流れる。チューブ６６６は、好ましくは、チューブ６６６内からのガスを全体的にハウジング６６１の内部の泡形成通路に流すように適合され構成された複数の開口６７０を含む。図１８Ｆに示すように、開口６７０は、チューブ６６６の長さにほぼ沿って、好ましくは、チューブ６６６の円周を取り囲んで配置される。しかし、本発明のさらに他の具体例は、入口に向かって、出口に向かって、ほぼ中央内に、又はその任意の組み合わせなどの、チューブ６６６の特定の選択部分に限定された場所を有する、開口６７０を企図する。
【００９４】
核生成チャンバ６６０内の泡は、これまで論じたようにガス及び液体のストリームの最初の混合を含む核生成ゾーン６６５内で最初に形成される。泡がこのゾーンを離れるとき、これは、下流側の成長領域６７４内に流れ、超音波変換器６７５上及びその周りを進む。１つの具体例では、変換器６７５は、ロッド（図示するように）であるが、さらに他の具体例では、超音波変換器は、核生成ゾーン６６５を出た泡に超音波励起を提供するように適合され構成され、任意の形状のものでよいことが理解される。例えば、本発明のさらに他の具体例は、泡が円筒の内径を流れ抜けるように略円筒形状を有する変換器を企図し、変換器が流路６６１の内径よりも小さい一部の具体例では、泡は、変換器の外径にわたっても進む。さらに、１つの具体例は、超音波周波において励起される変換器を含むが、さらに他の具体例は、可聴周波及び亜音速周波を含むあらゆる周波において、振動し、核生成された泡に振動を付与するセンサを企図することが理解される。
【００９５】
図１８Ｆの小さい差し込み図を参照すれば、変換器６７５は、外部の電子源によって励起されることが好ましい。一例では、この電子源は、変換器６７５内の圧電素子を励起させる振動出力電圧をもたらす。振動型変換器の使用は、かなりの量の提供された液体を泡に変換させることに効果的であることが見出されている。本発明のさまざまな具体例は、１つ又は複数の単一周波、一定の範囲にわたる周波数掃引、又は一定の周波数範囲にわたるランダム周波数入力を含む、任意のタイプの振動入力で変換器６７５内で振動を励起させることを企図する。１つの試験では、Ｓｈａｒｐｅｒｔｅｋによって提供された変換器が、２５ｋＨｚを超える周波数において励起された。略円筒形状の変換器ロッドが示されているが、さらに他の具体例は、側部装着された変換器、すなわち効果を改善するためにチャンバ内の液体及びガスが変換器近くを流れるように矩形形状のチャンバ内で使用することができる変換器を含む、任意の形状の振動変換器を企図する。さらに、変換器６７５の電子励起は、一部の具体例において企図される一方、他の具体例では、変換器６７５は、油圧式又は空気式入力によるものを含む、他の機械的手段によって励起できることが理解される。さらに、別の具体例では、核生成チャンバを物理的に揺らすためにキャビネット４２内での振動テーブルの使用を企図する。そのような具体例では、核生成チャンバの入口及び出口は、可撓性取付具によってキャビネット内の他の配管に結合される。
【００９６】
より大きい泡セルが成長領域６７４を出るとき、これらは、好ましくはハウジング６６１の内部泡通路内に材料６７９を含むセル構造化領域６７８に入る。セル構造化領域６７８の材料６７９は、泡セル・サイズの第１のよりも大きい分布を領域６７４から受け取り、セル・サイズの第２のよりも小さくより狭い分布を出力部６６４に提供するように適合され構成される。一部の具体例では、構造化材料６７９は、メッシュを含む。
【００９７】
図１８Ｇは、本発明の１つの具体例による核生成チャンバ７６０を示す。ハウジング７６１は、ガス入口７６２と、液体入口７６３と、泡出口７６４とを含み、このとき泡形成通路は、入口と出口の間に配置されている。ハウジング７６１内に含まれるのは、圧力下のガスを入口７６２から受け取る略円筒形状のガス・チューブ７６６である。ガスチャンバ７６６は、円筒形状のチューブとして説明されているが、本発明のさらに他の具体例は、泡が結果として生じるようにガスの流れを液体の流れ内に提供するように適合され構成された任意のサイズ及び形状の内部ガスチャンバを企図する。
【００９８】
ガス・チューブ７６６は、ハウジング７６１内にほぼ同軸に配置され（同軸の配置は必要とされないが）、それにより、入口７６３からの液体は、チューブ７６６の外面の周りを全体的に流れる。チューブ７６６は、好ましくは、複数の核生成デバイス７７０を含み、その各々は、空気の通過のための複数の小さい穴を含む。図１８Ｇの差し込み図に示すように、１つの具体例では、デバイス７７０は、オハイオ州、ノースロイヤルトン（Ｎｏｒｔｈ  Ｒｏｙａｌｔｏｎ）のＡｌｗｉｔｃｏによって作製されたものなどの多孔質金属フィルタ・マフラである。これらのデバイスは、ねじ切りされた部材に取り付けられた多孔質金属部材を含む。空気が、ねじ切りされた部材から多孔質材料に提供され、この多孔質材料は、１つの具体例では、多孔質部材の周辺及び端部を取り囲む多様な穴を含み、穴は、約１０から１００ミクロンの直径の任意のものである。さらに他の具体例では、Ａｌｗｉｔｃｏによって提供されたものなどの、多孔質金属ブリーザ−ベント−フィルタの使用を企図する。さらに別の具体例は、Ａｌｗｉｔｃｏの超小型及びミニマフィン類似の（ｍｉｎｉ−ｍｕｆｆ）マフラのものなどに類似するガス出口流路を含む、デバイス７７０を企図する。
【００９９】
より広く言えば、デバイス７７０は、チャンバ７６６内から圧力下のガスを受け取る内部流路を含む。デバイス７７０の端部は、デバイス７７０の内部通路からのガスが、液体の混合物周囲に流入し、泡を形成するような（ランダム又は順序付けられた）パターンで、（多孔質金属の使用などによって達成された、又は穴あけ、スタンピング、化学的エッチング、フォトエッチング、放電加工などによって達成された）複数の穴を含む。図１８Ｇに最適に見られるように、一部の具体例では、デバイス７７０の多孔質端部は、円筒形状であり、液体流路内に延び、一方でさらに別の具体例では、多孔質端部は、全体的に平坦であり、さらに別の具体例では、任意の形状にすることができる。一部の具体例では、デバイス７７０は、デバイスの突起端部が、上流側上でほぼ無孔であり、デバイスの下流側が多孔質であるように方向的に配向された気孔率を有する。そのような具体例では、泡は、液体がデバイス７７０の突起本体上を進むときに液体のすぐ後に形成される。図１８Ｇに示すように、一部の具体例では、ガスチャンバ７６６の長さに沿って且つその円周周りに（又は別の形でそこから延びて）配置された複数のデバイス７７０が存在する。
【０１００】
さらに別の具体例は、上記で論じた多孔質金属などの多孔質金属から製作されたガスチャンバ７６６を企図する。そのような具体例では、ガスは、このチャンバから逃げ、多孔質構造の長さ全体に沿って液体流路に入る。さらに、一部の具体例は、（穴あけ、スタンピング、化学エッチング、フォトエッチング、放電加工などによって形成された）複数の穴を含む材料から構築されたガスチャンバを企図する。
【０１０１】
図１８Ｈは、本発明の１つの具体例による核生成チャンバ８６０を示す。ハウジング８６１は、ガス入口８６２と、液体入口８６３と、泡出口８６４とを含み、このとき泡形成通路は、入口と出口の間に配置されている。ハウジング８６１内に含まれるのは、圧力下のガスを入口８６２から受け取る略円筒形状のガス・チューブ８６６である。ガスチャンバ８６６は、円筒形状のチューブとして説明されているが、本発明のさらに他の具体例は、泡が結果として生じるようにガスの流れを液体の流れ内に提供するように適合され構成された任意のサイズ及び形状の内部ガスチャンバを企図する。
【０１０２】
ガス・チューブ８６６は、ハウジング８６１内にほぼ同軸に配置され（同軸の配置は必要とされないが）、それにより、入口８６３からの液体は、チューブ８６６の外面の周りを全体的に流れる。チューブ８６６は、好ましくは、これまで説明した核生成ジェット７７０に類似する複数のデバイス８７０を含む。
【０１０３】
核生成チャンバ８６０内の泡は、これまで論じたようにガス及び液体ストリームの最初の混合を含む核生成ゾーン８７２内に最初に形成される。泡がこのゾーンを離れるにつれて、これは、下流側の成長領域８７４に流れ込み、対応する成長材料８７５上を進む。一部の具体例では、材料８７５は、好ましくは金属材料から形成されたメッシュである。有機材料が、クリーニングに使用される液体８２２への露出に耐えることができる場合、プラスチック材料もまた代用することができる。材料８７５がメッシュ以外の材料になり得ることが、さらに他の具体例によってさらに企図される。
【０１０４】
より大きい泡セルが成長領域８７４を出ると、これらは、好ましくは、ハウジング８６１の内部泡通路内に材料８７９を含むセル構造化領域８７８に入る。セル構造化領域８７８の材料８７９は、泡セル・サイズの第１のよりも大きい分布を領域８７４から受け取り、セル・サイズの第２のよりも小さくより狭い分布を出力部８６４に提供するように適合され構成される。一部の具体例では、構造化材料８７９は、金属から形成されたメッシュを含み、このとき領域８７８のメッシュのセル・サイズは、成長領域８７４のメッシュ・サイズよりも小さい。１つの試験において、デバイス８６０は、多量の液体を泡に変換することに成功した。
【０１０５】
図１８Ｉは、本発明の１つの具体例による核生成チャンバ９６０を示す。ハウジング９６１は、ガス入口９６２と、液体入口９６３と、泡出口９６４とを含み、このとき泡形成通路は、入口と出口の間に配置されている。ハウジング９６１内に含まれるのは、圧力下のガスを入口９６２から受け取る略円筒形状のチャンバ９６６である。
【０１０６】
ガスチャンバ９６６は、チャンバ９６０の泡流路内に全体的に配置され、それにより、入口９６３からの液体は、チャンバ９６６の外面の周りを全体的に流れる。１つの具体例及び図１８Ｉの差し込み図に示すように、チャンバ９６６は、泡流路内に複数のラジエータ類似の構造体を含む。各々の構造体は、入口９６２からのガスを、泡流路にわたって延びる１つ又は複数の横断チューブ９６６．２に提供する１つ又は複数の主要供給管９６６．１を含む。これらの横断管９６６．２の各々は、流れる流体内にガスがそこを通過する複数の核生成ジェット９７０を含む。１つの具体例では、横断チューブ９６６．２は、複数のフィン類似の部材９７５と全体的に密着しており、このフィン類似の部材９７５は、横断チューブ９６６．２の一部又はすべてにわたって全体的に延びる。したがって、このチャンバ９６６は、核生成ゾーン９７２と、成長及び／又は均一化領域９７４及び９７８のそれぞれとが組み合わされて単一のデバイスになる。その結果、液体は、デバイス９６６の上流側に入り、泡はデバイス９６６の下流側から出る。１つの具体例では、デバイス９６６は、コンピュータ・チップ冷却ラジエータ及びヒート・シンクに類似するものである。
【０１０７】
図１８Ｊは、本発明の１つの具体例による核生成チャンバ１０６０を示す。ハウジング１０６１は、ガス入口１０６２と、液体入口１０６３と、泡出口１０６４とを含み、このとき泡形成通路は、入口と出口の間に配置されている。ハウジング１０６１内に含まれるのは、圧力下のガスを入口１０６２から受け取るガスチャンバ１０６６である。
【０１０８】
１つの具体例では、チャンバ１０６６は、複数の長手方向に延びるチューブ１０６６．２と流体連通する供給プレナム１０６６．１を含む。好ましくは、チューブ１０６６．１及び１０６６．２の各々は、核生成チャンバ１０６０の流路内に延び、さらに、複数の核生成ジェット１０７０を組み込む。図１８Ｊに見られるように、一部の具体例では、チューブ１０６６．２は、長手方向に配置され、それにより、液体は、チューブ１０６．２の長さに沿って全体的に流れる。しかし、他の具体例では、チューブ１０６６．２は、さらに、核生成チャンバ９６０に関して説明したチューブ９６６．２に類似する方法で直交して配置できる。
【０１０９】
図１８Ｋは、本発明の１つの具体例による核生成チャンバ１１６０を示す。ハウジング１１６１は、ガス入口１１６２と、液体入口１１６３と、泡出口１１６４とを含み、このとき泡形成通路は、入口と出口の間に配置されている。ハウジング１１６１内に含まれるのは、泡流路内にガスを解放するためのプレナム１１６６、及びモータ１１８４によって駆動されるインペラ１１８６を含む電動混合デバイスの両方を含む核生成ゾーン１１７２である。１つの具体例では、インペラ１１８６が、シャフトに連結され、塗装撹拌デバイスに類似する１つ又は複数の湾曲した撹拌パドルを含む。チャンバ１１６６の出口チューブからのガスは、撹拌パドルの上流側に提供される。この方法で形成された泡は、泡セル・サイズが大きく変動するが、受け入れられるものであることが見出されている。さらに別の具体例では、核生成領域１１７２の下流側に配置されたセル構造化領域１１７８（図示せず）を含む。撹拌部材のさらに別の例は、デバイス１１８６−１及び１１８６−２を含む、図１８Ｋの差し込みで示される。１つの用途では、核生成デバイス１１８６−１は、ＭｃＭａｓｔｅｒ  Ｃａｒｒによって販売されたものに類似する、コイル式ばねインペラに類似している。さらに別の具体例では、デバイス１１８６−２は、ヘア・ドライヤのインペラに構造が類似する。一部の具体例では、チャンバ１１６０内で調製される泡は、好ましくは、相対的に少ない流量で提供された液体１１６３と共に作製される。
【０１１０】
図１８Ｌ、図１８Ｍ、図１８Ｎ、図１８Ｏ、図１８Ｐ、図１８Ｑ及び図１８Ｒは、本発明の別の具体例による核生成チャンバ１２６０を示す。これらの図は、核生成デバイス１２６０のさまざまな構成要素間のさまざまな角度関係及び他のジオメトリ関係を示す。図１８Ｏは、核生成の第１のゾーン１２７２ａが、負の迎え角を有するジェットを含むことができることを示し、これは、核生成デバイス内に流れる液体の全体的な流れ方向とは反対の、ガス・プレナムを出た空気の速度成分が存在し得ることを意味する。図１８Ｐ及び図１８Ｑは、下流側の核生成ゾーン１２７２ｂ及び１２７２ｃが、（第１のゾーン１２７２ａをすでに通過して部分的に形成された）液体の流れと同じ方向の速度成分を含む、空気の注入角度を含むことができることを示す。図１８Ｒは、さらに、発泡された混合物に渦をもたらすように配向された核生成ジェット１２７０を示す（すなわち核生成デバイスの中心軸周りの回転）。さまざまな核生成ジェットが、図１８Ｒ内に示した渦角度の組み合わせを有することができることがさらに理解され、このとき、アルファ、ベータ、又はロー角度の任意のものが、図１８Ｏ、図１８Ｐ又は図１８Ｑでそれぞれ示されている。
【０１１１】
本発明の一部の具体例では、すべての核生成ジェットの合計流れ面積は、ガス・プレナムの断面流れ面積Ｎの約５０パーセントからガラス・プレナムの合計断面流れ面積Ｎの約３倍までの範囲にある。合計プレナム断面積に対する合計核生成ジェット面積のこの比を達成するために、長さＮＬは、それに従って調整できる。さらに別の具体例では、ガス・プレナムの面積Ｎに対する核生成デバイスの内径の断面積Ｏの比は、約５未満にならなければならない。
【０１１２】
図１９は、本発明のさまざまな具体例による航空機エンジンのクリーニングの絵画図を提供する。図１９Ａは、ＤＣ−９の系列の航空機の翼とエンジンの間に駐車された車両２１を示す。図１９Ｂ及び図１９Ｃは、洗浄システム２０を使用してＤＣ−１０タイプの航空機の右エンジンをクリーニングする車両２１を示す。車両２１は、洗浄システム２０を含む。ノズル３０が、機体装着されたエンジン１０の入口１１近くで拡張可能なブーム２３から支持される。流出物コレクタ３２が、エンジン１０の排気部１６の近くに配置される。１つの具体例におけるコレクタ３２は、保持部材３４に結合されたハウジング３３を含む。一部の具体例における保持部材３４は、クリーニング・プロセス中、エンジン１０の後方でコレクタ３２の場所を維持するために車両２１（又は代替的にはタールマック又は他の適切な拘束部）に結合される。一部の具体例では、ハウジング３３は、大型屋外遊具に類似する方法で、空気によって膨張可能である。そのような具体例では、車両２１は、さらに、圧力下の空気をハウジング３３に提供するためのブロワを含む。
【０１１３】
ブーム２３によって支持されたノズル２０からの泡は、好ましくは、エンジン１０がそのスタータによって回転されるときに、エンジン１０の入口内に提供される。泡２８は、エンジン１０がそのスタータ上で回転されるときに入口１１に注入される。一部の具体例では、スタータの通常の作動の結果、最大のエンジン自走（すなわち非作動）速度を生じさせ、これは、通常、エンジン・アイドリング（すなわち作動）速度よりも小さい。しかし、一部の具体例では、システム２０を利用する方法は、好ましくは、通常の自走速度未満の回転速度においてエンジンを回転させることを含む。そのような低速作動では、エンジン１０の低温領域構成要素は、泡の品質又は量を、これがエンジン高温領域に提供される前に低減させにくい。１つの具体例では、クリーニング中の好ましい回転速度は、自走速度の約２５〜約７５パーセント未満である。
【０１１４】
図２−１Ａ及び図２−１Ｂは、本発明の１つの具体例による洗浄又はクリーニング・システム２０のさまざまな図を表す。示されるのは、ガス・タービン・エンジンのクリーニングに適用された洗浄システム２０であるが、本発明のさまざまな具体例が、あらゆる物体のクリーニングを企図することが理解される。洗浄システム２０は、車両２１の内側に組み入れられ得る。車両２１はまた、これが、容量を変動させながら、所望の場所まで車両２１のように動くことができるトレーラ、コンパクト・カー、又は台車の形態をとることもできる。
【０１１５】
図２−１Ａは、飛行場内で航空機９０の翼上でクリーニングされているエンジン１０の後部側の図を絵画的に表す。車両２１は、支持体３４によってエンジン１０まで持ち上げられたホース３３を介してクリーニング泡生成物をエンジン１０に供給するための洗浄システム２０を含む。これはまた、車両２１が、支持体３４又はまさにブーム２３のようなものに供給することができることもまた、企図されている（後の図２−２を参照）。
【０１１６】
図２−１Ｂは、ジェット・エンジン１０をクリーニングするために使用される洗浄システム２０の前方図を絵画的に表す。システム２０は、通常、ガスの供給源２６（図示せず）と、水の供給源２４と、クリーニング薬剤の供給源２２と、電気供給源（図示せず）とを含み、これらすべては発泡システム４０に提供される。発泡システム４０は、これらの入力成分を受け取り、泡２８の出力（図示せず）をノズル３０を介してエンジン１０の入口１１に提供する。
【０１１７】
図２−２、図２−３及び図２−４は、流出物コレクタ３２及び車両２１の位置決めのさまざまな具体例を絵画的に表す。流出物コレクタ３２は、後処理、再利用（処理ユニット８０、後の図２−７を参照）のため、又は廃棄のために泡及び流出物を収集するように設計される。
【０１１８】
図２−２は、流出物コレクタ３２を絵画的に表す。流出物コレクタ３２は、屋外遊具と同様に、又は航空機の緊急時タラップ又は救命いかだと同様に膨張できる。１つの具体例における流出物コレクタ３２は、航空機にとって安全及び優しく、泡、液体、及び固体粒子を含むように構造的に支持している。さらに、車両２１は、ノズル３０を持ち上げる（図２−８内のノズル３０上ではさらに大きく）ブーム２３を含むことができる。ブーム２３は、エンジン１０への泡導入のためにノズル３０を位置決めすることを可能にする。ブーム２３は、それだけに限定されないが、伸長、回転、及び／又は角度に加えて、空間内の自由度の組み合わせ又は範囲を有することができる。
【０１１９】
図２−３は、かなり大きいジェット・エンジン１０上の（図２−２と同様の）流出物コレクタ３２を絵画的に表す。車両２１は、エンジン１０の前方に位置決め可能であるが、この１つの具体例に限定されない。例えば、航空機９０の上後部のジェット・エンジン１０は、車両２１及びブーム２３の位置が入口に到達する（図８におけるように）のに十分な高さである。そのように企図されたシナリオでは、流出物コレクタ３２は、ブーム２３を備えた別の車両２１によって、又は支持体３４によって上昇できる（図２−１のように）。
【０１２０】
図２−４は、流出物コレクタ３２の１つの具体例を絵画的に表す。コレクタ３２は、閉じ込め壁３７を備えた床マットになることができる。一例では、閉じ込め壁３７は、ブラケットによって持ち上げられるように企図され、又は膨張可能になるように企図された。流出物コレクタ３２は、クリーニング・プロセス中、１つ又は多くのエンジン１０を包含するためにさまざまなサイズ及び寸法になることができる。
【０１２１】
図２−５は、本発明の１つの具体例によるシステムを用いてクリーニングされている航空機エンジン１０の概略及び画家による写真図である。エンジン１０は、航空機９０の設計によって装着され、ここでは、図は、後部に向かって水平に装着されたエンジン１０を備えた二重ロータヘリコプタ（Ｂｅｌｌ）を示しているが、別の設計は、翼の側部に装着されたエンジン１０を有し、鉛直と水平の間で枢動する（Ｖ２２オスプレイ）。この写真図に実証された車両２１は、トレーラを組み入れる。Ｖ２２航空機上のエンジン１０の配向は鉛直であり、ここでホース３３は、泡クリーニング生成物をエンジン入口１１のノズル３０に向ける。この形でエンジン１０をクリーニング又は洗浄することは、エンジン規定（図２−１０により詳しく）が、可能であればエンジン１０のコア構成要素に、回転、静止又はその両方を交互に行わせることを可能にする。クリーニング泡生成物は、撹拌／回転無しに下方向につながって落ちることができることが企図されている。流出物は、次いで、エンジン１０の底部から退出て（図２−４と同様に）捕捉される、又は下水道に入れられる。
【０１２２】
図２−７は、本発明の１つの具体例によるクリーニング・プロセス／方法の概略図である。すべてのこれまでの図に実証するように、本発明の装置及び方法は、当分野において多用途性を可能にすることができる。概略図は、エンジン１０をクリーニングするためのプロセス・ステップの方法路を示す。説明の目的で、プロセスは、洗浄システム２０を含む車両２１において開始する。洗浄システムは、泡クリーニング生成物を提供してエンジン１０をクリーニングし、ここでは、汚れ、汚染物質、液体及び泡、すなわち流出物がエンジン１０から放出される。現場の状態及び法規は変動するため（すなわち、航空機、私有地、又は軍ゾーン）、方法及び本発明の設計は、モジュラ柔軟性を車両２１に組み込むことを企図する。例えば、流出物は、これが辿ることができる３つの方法ルート、経路Ａ、Ｂ又はＣを有する。第１の経路Ａでは、流出物は、下水道又は地面に直接的に進むことができる。次に、流出物コレクタ３２システムにより、泡、液体、及び汚染材料は、通路Ｂ又はＣによって示す、処理ユニット８０によって再利用され及び／又は処理できる。車両２１は、経路Ｂ内に示すように処理ユニット８０を収容できる。一方では、通路Ｃ内では、処理ユニット８０は、車両２１から別個に取り扱われ得る。処理ユニット８０は、ＡＸＥＯＮ  Ｗａｔｅｒ  Ｔｅｃｈｎｏｌｏｇｉｅｓによって販売されるものに類似する予め構築されたモジュールになることができる。
【０１２３】
図２−８Ａ、図２−８Ｂは、本発明の１つの具体例による泡注入システムを示すエンジンの類似の概略図である。この概略図は、ファンの入口１１を備えたエンジン１０及び圧縮機領域の拡大前方図を示す。２つの図は、この斜視図を、特に、エンジン１０に関連するノズル３０を見やすくするように示される。ノズル３０は、複数のノズル、及び／又は位置式、角度式、及び／又は回転式に連接するノズルになることができる。例えば、両方の図における点Ａは、縦長チューブ（サイズは限定されない）を備えた連接ノズル（すなわちＴａｓｋ  Ｆｏｒｃｅ  Ｔｉｐｓによって販売されるロボット又はモニタ、遠隔制御されたモニタＹ２−Ｅ１１Ａ）を示し、この場合、クリーニング泡生成物は、エンジン１０の圧縮機入口１１に到達し、狙うことができる。同様に、両方の図における点Ｂは、「Ｙ」形状ノズル出口（だたし設計において限定的ではないが、）を有し、エンジン１０のコア回転の軸に沿って配置された連接ノズルを示し、ここでは、ノズル３０は、圧縮機入口１１ゾーンに沿って軸方向に回転することができる。
【０１２４】
図２−９Ａは、本発明の１つの具体例による泡連結システム４１を示すエンジンの切断した内部の概略図である。エンジン１０は、通常、入口１１と、ファン１２（図示せず）と、１つ又は複数の圧縮機１３とを含む低温領域を含む。圧縮された空気は、コンバスタ１４と、１つ又は複数のタービン１５と、排気システム１６とを含む、エンジン１０の高温領域に提供される。さまざまなエンジンは、汚染エンジン１０による摩耗及び破損における変動を有するため、製造者は、水洗浄手順用に設計された専用のチューブ４２、連結部、又は通路を有する。本発明は、泡によるクリーニング・システムが、図２−５を参照して改善を有することを示しているため、ノズル３０又はホース３３は、ここでも泡連結点４１（点線）の１つ又は多くに直接的に連結して、特有の、一部の、又はすべてのエンジン領域を狙うことができる。
【０１２５】
一例として、一部の圧縮機領域は、エンジンの高温領域を冷却するためにブリード空気（抽気）を航空機に提供する、又は相対的に低温の圧縮された空気を提供するなどのために、圧縮された空気を運ぶ１つ又は複数のマニホールド又は管を含むことが知られている。一部の具体例では、クリーニング泡は、これらのマニホールド又は管を通ってエンジンに提供される。この泡は、エンジンが回転している間、又はエンジンが静止しているときに提供できる。さらに、エンジン高温領域は、高温領域を冷却する目的でより低温の圧縮された空気を受け取る管又はマニホールドと、ボロスコープ点検又は他の目的のために使用されるブランク・オフ・ポート（blanked off port）とを含むことが知られている。本発明のさらに他の具体例は、静止しているエンジン又は回転するエンジンにおいて、泡をそのような管及びポートに導入することを企図する。
【０１２６】
図２−９Ｂは、本発明の１つの具体例による泡連結システムを示す内部及び外部の構成要素を備えた、エンジンの切断概略図である。図２〜図９Ａと同様の形で、エンジン１０の切断図は、入口１１と、ファン１２と、圧縮機１３領域と、コンバスタ１４領域と、タービン１５領域と、排気１６領域とを有する。既存又は将来的なエンジン製造工学の変更に関わらず、チューブ４３、通路、連結部は、エンジン１０領域をクリーニングするための泡を送出するために使用できる。図２−１Ｂを参照すれば、ホース３３は、ノズル３０に連結するようにされているが、代替的には、ホース３３は、エンジン１０の、連結部４１の１つ又は複数点に直接的に連結することができる。
【０１２７】
図２−１０は、本発明の１つの具体例／方法によるエンジン・クリーニング回転サイクル規定のグラフである。直近の図に実証するように、エンジン１０は、数多くの形（すなわち、水平、鉛直）で装着することができ、エンジンは数多くの形状及びサイズになることができる。これに留意すると、泡クリーニング手順は、規定されたエンジン１０コア速度（圧縮機１３領域及びタービン１５領域）においてより効果的に作用することができる。例として、このグラフは、Ｎ１、Ｎ２、及びＮ３として示すように（３つの個々の−シャフトによってリンクされた圧縮機１３からタービン１５まで）３つのタイプのコア速度を有する。Ｙ軸は、最大許容回転速度である（実際の値は図示せず、スケールは実例として）。Ｘ軸は時間である（原寸通りではない、例としてのみ）。エンジン・クリーニング規定の目的は、ガス経路内側エンジン１０に溢出した泡を回転させ撹拌することである。泡は、汚染物質と接触し、擦り取り、除去する。泡は、異なる回転（撹拌）速度において異なる流体動的特性を有する。こうして、さまざまな範囲の速度においてエンジン１０を循環させることにより、クリーニング効果を達成することができる。図は、エンジン１０が、３回クランクされるが（３サイクル）、この周波に限定されないことを示す。第１のサイクルを評価することにより、Ｎ１、Ｎ２、及びＮ３は、慣性量に従って挙動することが明白である。Ｎ１、Ｎ２、Ｎ３がゼロであるゼロにおいて、エンジンが１単位クランクされたとき、Ｎ１、Ｎ２、Ｎ３は、約１０．５％、８．５％、５．８％の天井にそれぞれ到達する。エンジン１０の内側の溢出した泡生成物は、Ｎ３を、流体力学的摩擦によってよりすばやく停止させ、一方でそれと比較して、Ｎ１は、より長く回転を維持することができる。規定において１回又は多数回循環させることが好ましいが、エンジン１０はまた、図２−５に論じたようにガス経路に注入し、溢出させることによって回転することなくクリーニングすることもできる。泡の温度は、サイクリング規定の周波及び振幅に有用である。車両２１は、クリーニング規定を調節し、良い影響を与えるためにヒータ３８を収容することができる。
【０１２８】
図２−１１は、エンジン監視及び利益定量化のための本発明の１つの方法のグラフ図である。エンジン１０を適切にクリーニングする良い影響及び利点が、さらに、本発明において定量化できる。診断又はテレメトリ・ツールを用いて財政上、作動上、保全上、環境上（すなわち炭素クレジット、オンウィング時間、燃料節約など）のものを得る。データ分析ツールは、エンジン１０の寿命及び安全性を高めるための科学的方法である。図２−１１に示すように、本発明の１つの具体例は、方法を含む。例えば、航空機又はボート内のエンジン１０は、情報をデータ・センタに送信する。次に、エンジン・オペレータ又は製造者は、コンピュータ自動化を介して、別個に又は訓練を受けた専門家と共に、泡エンジン・クリーニング方法を要請する。この監視方法と共に泡クリーニング方法を実行したとき、性能回復計量が改善をログ取りすることができる。これらの定量化された改善は、財政上の目標、炭素クレジット、エンジン寿命延長及び／又は安全性に関して収集できる。
【０１２９】
図２−１２は、本発明の１つの具体例による携帯用流出物コレクタのさまざまな具体例を示す。流出物コレクタは、トレーラ２３２．１を含み、トレーラ２３２．１は、地面からこれを支持する複数の車輪を有し、好ましくは別の車両によってけん引するためのトレーラ連結装置も含む。トレーラは、エンジン・クリーニング・プロセス中、泡流出物を支持し含むように適合及び構成できる、貨物コンパートメントを含む。これらの図に示すように、貨物コンパートメントは、プラスチック製の防水性且つ水密性の可撓性シートで裏張りされ、それによって車輪によって全体的に支持された収集プール２３２．２を形成する。
【０１３０】
トレーラは、好ましくは、輸送のためにコンパクトな形状に好都合に折り畳むことができる複数の収集デバイスを含む。これらのデバイスはまた、クリーニング・プロセス中、泡の収集のために直立状態に伸長され、支持されることができる。
【０１３１】
図２−１２は、クリーニング・プロセス中泡を収集するのに適した伸長された状態のトレーラ及び収集デバイスを示す。排気コレクタ２３２．３は、防水性及び水密性である可撓性シートによって形成され、離間されたリブ２３２．３４の対によって分離される。支持リブの各々は、トレーラの両側に配置され、これらの各々は、トレーラ２３２．１の前方端部に枢動的に結合される。好ましくは、シートは、十分な大きさであり、リブ上に緩くかぶせられ、それにより、鉛直に支持された状態において、シートは、エンジンの排気部から出る泡の収集のための入口２３２．３４を有する筺体３２．３１を形成する。筺体２３２．３１は、入口から、プール２３２．２の近位に配置された排水路までの重力支援流路を形成する。入口において受け取られたあらゆる泡は、筺体内を下方向に流れ、排水路を介してプールに入る。鉛直の支持体２３２．３３の対が、筺体の両側に設けられる。鉛直支持体の各々は、１つの端部において、トレーラの側部と結合し、別の端部において対応するリブと結合する。リブ及び対応する鉛直支持体は、伸長された状態（図２〜図１２を示すように）において互いに係止されて、筺体を直立状態に維持する。リブ及び鉛直支持体が係合解除したとき、リブをトレーラの後部に向かって折り畳み、鉛直支持体をトレーラの前方に向かって折り畳むことができ、又は輸送の目的のために除去することができる。
【０１３２】
トレーラ２３２．１の後方端部は、洗浄されたエンジンの入口から、及びナセル・ドアが開いている場合はエンジンの下方からも流出液を捕捉するように適合され構成されたコレクタ２３２．４を含む。コレクタ２３２．４は、トレーラ２３２．２の前方端部から延び、鉛直支持体２３２．４３によって支持されたとき、洗浄されているエンジンの入口に向かって上方向の角度を有する。エンジン入口から出る、又はエンジンナセルから出るあらゆる泡は、離間された、ほぼ平行な支持リブ２３２．４２の対間のシート２３２．４１の支持体によって形成された排水経路上に落下する。これらのリブの各々は、トレーラの前方端部に枢動的に連結される。鉛直支持体２３２．４３の各々は、リブに取り付けられ、地面と接触する。凹状シート２３２．４１の排水経路上に落下するあらゆる泡は、重力によってプール２３２．２に向かって移動する。
【０１３３】
本発明の異なる具体例のさまざまな態様が、以下の通りに段落Ｘ１、Ｘ２、Ｘ３、Ｘ４、Ｘ５、Ｘ６及びＸ７において表される。
【０１３４】
Ｘ１．本発明の１つの態様は、水溶性液体クリーニング剤を発泡させるための装置であり、順次に配置された複数の泡操作部分又は領域を有するハウジングであって、ガス入口と、水溶性クリーニング剤の液体入口と、泡出口とを有するハウジングを有し、１つの領域又は部分は、複数の開口を有する加圧されたガス注入デバイスを含み、前記ハウジングの内部は、液体入口から液体を受け取り、開口から放出されたガスを受け取り、第１の平均セル・サイズ及び第１の範囲のセル・サイズの泡を形成する混合領域を形成し、他の泡操作部分は、第１の分布範囲及び第１の平均サイズを有するセルを受け取り、セルの付着及び融合のための表面領域を提供するセル付着及び成長部材上にこれらを流して、第２のより大きい平均セル・サイズを有する泡を形成し、さらに他の泡操作領域又は部分は、第１の範囲のセル・サイズを有する泡を受け取り、泡のサイズの範囲を低減し、より均一な泡出力を提供するように適合された構成された泡構造化部材を通るようにこの泡を流すようになっている装置に関する。
【０１３５】
Ｘ２．本発明の別の態様は、液体を発泡させる方法であって、泡を形成するために液体及び加圧されたガスを混合する段階と、泡を部材に流し、セルのサイズを増大させる段階と、その後セルのサイズを低減させるために泡を複数の開口又は格子を通って流す段階とを含む、方法に関する。
【０１３６】
Ｘ３．本発明のさらに別の態様は、空気発泡された水溶性液体クリーニング剤を提供するためのシステムであって、周囲圧力より大きい圧力で空気を提供する空気ポンプと、圧力をかけて水溶性液体を提供する液体ポンプと、空気ポンプから空気を受け取る空気入口と、液体ポンプから液体を受け取る液体入口と、泡出口とを有する核生成デバイスであって、加圧された空気及び液体を乱流式に混合して泡を形成する、核生成デバイスと、泡導管を通して泡を受け取るノズルとを備え、前記ノズル及び前記導管の前記内部通路は、泡の乱流を低減させるように適合され構成され、前記ノズルは、泡の低速ストリームを送出するように適合され構成される、システムに関する。
【０１３７】
Ｘ４．本発明のさらに別の態様は、空気発泡された水溶性液体クリーニング剤を航空機に設置されたジェット・エンジンの入口に供給する方法であって、水溶性液体クリーニング剤源、液体ポンプ、空気ポンプ、乱流混合チャンバ、および非噴霧式ノズルを提供する段階と、加圧された空気と加圧された液体を混合チャンバ内で混合し、泡の供給体を形成する段階と、設置された入口の正面にノズルを置く段階と、泡の供給体を、設置された入口内にノズルから流し入れる段階とを含む、方法に関する。
【０１３８】
Ｘ５．本発明の別の態様は、水溶性液体クリーニング剤を発泡させるための装置であって、加圧されたガスと流れる水溶性液体を混合して泡を形成するための手段と、泡のセルのサイズを成長させるための手段と、成長したセルのサイズを低減させるための手段とを備える、装置に関する。
【０１３９】
Ｘ６．本発明のさらに別の態様は、ジェット・エンジンの泡クリーニングを計画する方法であって、ジェット・エンジンの一群の部材の泡洗浄によって達成可能な一群のジェット・エンジンの作動パラメータに対する改善の範囲を定量化する段階と、航空機に設置された一群のエンジンを一定期間作動させる段階と、作動中にエンジンの性能を測定する段階と、エンジンが泡洗浄されるべきであることを決定する段階と、エンジンの泡クリーニングを予定する段階とを含む、方法に関する。
【０１４０】
Ｘ７．本発明のさらに別の態様は、ガス・タービン・エンジンの泡クリーニングのための装置であって、防水性ライナを有する貨物コンパートメントを有する多輪トレーラと、第１の離間されたリブの対によって支持された第１のシートを備えた排気流出泡コレクタであって、第１のリブは、トレーラの一方の端部に枢動式に結合され、リブ及びシートは、封入流路を形成するように共働し、流路の１つの端部は、泡を受け取るための入口を有し、流路の他方の端部は、泡流出物をライナに提供するように適合され構成された排水路を有する、排気流出泡コレクタと、第２の離間されたリブの対によって支持された第２のシートを備えた入口泡コレクタであって、第２のリブは、前記トレーラの他方の端部に枢動式に結合され、リブ及びシートは、ライナへの排水経路を提供するように共働する、入口泡コレクタとを備える、装置に関する。
【０１４１】
さらに他の具体例は、次の他の態様の１つ又は複数と組み合わされる、上記の記載Ｘ１、Ｘ２、Ｘ３、Ｘ４、Ｘ５、Ｘ６又はＸ７のいずれかに関する。また、前述のＸ項の任意のものは、他のＸ項の個々の構成と組み合わせることができる個々の構成のリストを含むことも理解される。
【０１４２】
ここで、第１の流れ部分、第２の流れ部分、及び第３の流れ部分は、ほぼ同じ流れ面積を有する。
【０１４３】
ここで、ハウジングは、内壁及び内部軸を有し、内部流路の方向は、軸から内壁に向かうものである。
【０１４４】
ここで、第１、第２、及び第３の流れ部分の少なくとも２つは、同軸であり、又は第３の流れ部分は、第１又は第２の部分から最も外側であり、又は第１の流れ部分は、第２又は第３の部分の最も内側である。
【０１４５】
第１、第２、及び第３の流れ部分は同軸であり、第２の流れ部分は、第１の部分と第２の部分の間にある。
【０１４６】
内部流路の方向は、液体入口から泡出口に向かうものである。
【０１４７】
成長部材は、ワイヤ・メッシュを含む。
【０１４８】
ワイヤ・メッシュは、第１のメッシュ・サイズを有し、構造化部材は、第１のメッシュ・サイズよりも小さい第２のメッシュ・サイズを有するワイヤ・メッシュを含む。
【０１４９】
メッシュは、プラスチック材料又は金属材料を含む。
【０１５０】
構造化部材は、開口プレート、格子、又は繊維性マトリクスを含む。
【０１５１】
第１の泡を部材に流すことは、第１の泡の乱流を増大させる。
【０１５２】
さらに、入口及び出口を有するチャンバ内に第３の泡を流すことを含み、このチャンバは、第３の泡の乱流を低減させるように適合され構成される。
【０１５３】
チャンバは、入口と出口の間に第３の泡のより積層の流れを提供するように適合され構成される。
【０１５４】
混合は、液体を第１の方向に流すことと、第１の方向とは少なくとも部分的に反対の速度成分を有する第２の方向にガスを注入することとを含む。
【０１５５】
第２の泡を流すことは、速度をともない、これはさらに、第３の泡を、ほぼその同じ速度で物体上に流し、物体をクリーニングすることを含む。
【０１５６】
ノズルは、泡のストリームをジェット・エンジンの抽気ダクトに提供するように適合され構成される。
【０１５７】
ノズルは、泡のストリームを、ジェット・エンジンに装着されたチューブのマニホールドに提供するように適合され構成される。
【０１５８】
ストリームは、略一定の直径を有する。
【０１５９】
ノズルは、第１の流れ面積を有し、導管は第２の流れ面積を有し、第１の流れ面積は、第２の流れ面積とほぼ同じである。
【０１６０】
泡出口は、第１の流れ面積を有し、導管は第２の流れ面積を有し、第１の流れ面積は第２の流れ面積とほぼ同じである。
【０１６１】
ノズルは、合計流れ面積を有する１つ又は複数のノズルであり、泡出口は、出口面積を有し、出口面積は、合計流れ面積とほぼ同じである。
【０１６２】
核生成デバイスは、複数の空気流開口を有し、且つ液体の流れが提供されるチャンバ内に配置された空気加圧されたプレナムを含み、開口は、空気を流れる液体内に放出して泡を形成する。
【０１６３】
核生成デバイスによって受け取られた空気は、約１０ｐｓｉｇより大きく、且つ約１２０ｐｓｉｇより小さい圧力を有し、前記核生成デバイスによって受け取られた液体は、約１０ｐｓｉｇより大きく、且つ１２０ｐｓｉｇより小さい圧力を有する。
【０１６４】
流し入れられる供給体は、約９１．４４ｃｍ（約３フィート）毎秒を超え、且つ約４５７．２ｃｍ（約１５フィート）毎秒未満の速度にある。
【０１６５】
流し入れられる供給体は、略一定の直径の均一ストリームである。
【０１６６】
提供は、混合チャンバの下流側のセル成長チャンバを含み、さらに、泡セルのサイズを混合後且つ流し入れの前に成長させることを含む。
【０１６７】
提供は、混合チャンバの下流側に乱流低減チャンバを含み、さらに、混合された泡の乱流を混合後且つ流し入れの前に低減させることを含む。
【０１６８】
設置されたエンジンは、配向において略鉛直であり、流し入れは、エンジンの回転無しに設置された入口に入るものである。
【０１６９】
成長手段は、成長メッシュを含み、低減手段は、低減メッシュを含み、低減メッシュのメッシュ・サイズは、成長メッシュのメッシュ・サイズよりも小さい。
【０１７０】
成長手段は、混合手段からの泡のセルの付着及び融合のための表面を提供するように適合され構成される。
【０１７１】
成長手段は、複数の第１の通路を含み、低減手段は、第１の通路よりも小さい複数の第２の通路を成長したセルに通過させることによって、成長したセルの少なくとも一部のサイズを低減させるように適合され構成される。
【０１７２】
混合手段は、ガスをチューブ内から流れる液体に注入することである。
【０１７３】
混合手段は、加圧されたガスを多孔質金属フィルタを通して流れる液体内に提供することによるものである。
【０１７４】
混合手段は、電動回転式インペラを含む。
【０１７５】
混合手段は、ガスの注入によって流れる液体に渦を付与する。
【０１７６】
成長手段は、振動ロッドであり、又は超音波変速器である。
【０１７７】
さらに、特有のエンジンの測定された性能をエンジンの所有者に提供することを含み、決定することは、エンジン所有者によるものである。
【０１７８】
作動パラメータは起動時間である。
【０１７９】
作動パラメータは、エンジンの燃料消費率である。
【０１８０】
作動パラメータは、エンジンによって発せられた炭素又は窒素酸化物である。
【０１８１】
測定することは、商用旅客装置作動中に起こる。
【０１８２】
さらに、一方の端部においてトレーラに取り付けられ、他方の端部において第１のリブの１つに取り付けられた鉛直支持体を備え、鉛直支持体は、封入された流路を直立状態に維持して、入口から排水路までの重力誘発された排水を容易にする。
【０１８３】
さらに、一方の端部においてトレーラに取り付けられ、他方の端部において第２のリブの一方に取り付けられた鉛直支持体を備え、鉛直支持体は、排水経路を上方向の角度で維持して、ライナに向かう重力誘発された流れを容易にする。
【０１８４】
本発明は、図及び前述の説明において詳細に例示され説明されてきたが、これは、例示的であり、構成において制限的でないと考慮されるものであり、特定の具体例のみが、示され説明されており、本発明の範囲内に入るすべての変更及び改変形態は、保護されることが望まれることが理解される。
0006543636.tif 000003
【図１】
0006543636.tif 000004
【図２】
0006543636.tif 000005
【図２−１Ａ】
0006543636.tif 000006
【図２−１Ｂ】
0006543636.tif 000007
【図２−３】
0006543636.tif 000008
【図２−４】
0006543636.tif 000009
【図２−５】
0006543636.tif 000010
【図２−７】
0006543636.tif 000011
【図２−８Ａ】
0006543636.tif 000012
【図２−８Ｂ】
0006543636.tif 000013
【図２−９Ａ】
0006543636.tif 000014
【図２−９Ｂ】
0006543636.tif 000015
【図２−１０】
0006543636.tif 000016
【図２−１１】
0006543636.tif 000017
【図２−１２Ａ】
0006543636.tif 000018
【図２−１２Ｂ】
0006543636.tif 000019
【図２−１２Ｃ】
0006543636.tif 000020
【図３Ａ】
0006543636.tif 000021
【図３Ｂ】
0006543636.tif 000022
【図３Ｃ】
0006543636.tif 000023
【図３Ｄ】
0006543636.tif 000024
【図４】
0006543636.tif 000025
【図６】
0006543636.tif 000026
【図７】
0006543636.tif 000027
【図８】
0006543636.tif 000028
【図９】
0006543636.tif 000029
【図１０】
0006543636.tif 000030
【図１１】
0006543636.tif 000031
【図１２Ａ】
0006543636.tif 000032
【図１２Ｂ】
0006543636.tif 000033
【図１３Ａ】
0006543636.tif 000034
【図１３Ｂ】
0006543636.tif 000035
【図１３Ｃ】
0006543636.tif 000036
【図１４Ａ】
0006543636.tif 000037
【図１４Ｂ】
0006543636.tif 000038
【図１４Ｃ】
0006543636.tif 000039
【図１４Ｄ】
0006543636.tif 000040
【図１５Ａ】
0006543636.tif 000041
【図１５Ｂ】
0006543636.tif 000042
【図１５Ｃ】
0006543636.tif 000043
【図１５Ｄ】
0006543636.tif 000044
【図１６Ａ】
0006543636.tif 000045
【図１６Ｂ】
0006543636.tif 000046
【図１６Ｃ】
0006543636.tif 000047
【図１６Ｄ】
0006543636.tif 000048
【図１６Ｅ】
0006543636.tif 000049
【図１６Ｆ】
0006543636.tif 000050
【図１８Ａ】
0006543636.tif 000051
【図１８Ｂ】
0006543636.tif 000052
【図１８Ｃ】
0006543636.tif 000053
【図１８Ｄ】
0006543636.tif 000054
【図１８Ｅ】
0006543636.tif 000055
【図１８Ｆ】
0006543636.tif 000056
【図１８Ｇ】
0006543636.tif 000057
【図１８Ｈ】
0006543636.tif 000058
【図１８Ｉ】
0006543636.tif 000059
【図１８Ｊ】
0006543636.tif 000060
【図１８Ｋ】
0006543636.tif 000061
【図１８Ｌ】
0006543636.tif 000062
【図１８Ｍ】
0006543636.tif 000063
【図１８Ｎ】
0006543636.tif 000064
【図１８Ｏ】
0006543636.tif 000065
【図１８Ｐ】
0006543636.tif 000066
【図１８Ｑ】
0006543636.tif 000067
【図１８Ｒ】
0006543636.tif 000068
【図１９Ａ】
0006543636.tif 000069
【図１９Ｂ】
0006543636.tif 000070
【図１９Ｃ】
0006543636.tif 000071
【図１９Ｄ】
0006543636.tif 000072
【図１９Ｅ】
0006543636.tif 000073